(57)【要約】【課題】記憶媒体を保管することができ、これにより装置カードを別途管理する必要をなくすことができる物品保管装置を提供すること。【解決手段】物品保管装置１は、操作制御ユニット１０と、鍵を保持して管理するための鍵管理ユニット２１と、通帳を保持して管理するための通帳管理ユニット２３と、一般ユニット２４と、一般ユニット２５とを備えている。また、物品保管装置１は、当該物品保管装置１にログインするために用いられる装置カードＡＣを収納するためのカード管理ユニット２２を備えている。【効果】使用していない装置カードＡＣをカード管理ユニット２２に収納することにより、装置カードＡＣを物品保管装置１内で安全に保管することができる。【選択図】図１
2012172309.tif 000002
【特許請求の範囲】
【請求項１】
予め定める物品を収納するための物品収納部と、
前記物品収納部とは別に設けられ、前記物品収納部に対し前記物品を出し入れするために用いられる所定の第１記憶媒体を収納するための記憶媒体収納部とを含む、物品保管装置。
【請求項２】
前記物品収納部に対し前記物品を出し入れするために、前記第１記憶媒体のＩＤ認証を含む第１の認証を必要とする所定の出し入れ操作に基づいて、前記物品収納部に対する前記物品を出し入れするものであり、
前記第１の認証とは態様の異なる第２の認証を必要とする所定の発行操作に基づいて、前記記憶媒体収納部に収納されている前記第１記憶媒体の取り出しを可能とする、請求項１記載の物品保管装置。
【請求項３】
前記第１記憶媒体から所定の情報を読み取るための記憶媒体読取手段と、
前記第１記憶媒体から前記記憶媒体読取手段が読み取った情報に基づいて、前記記憶媒体収納部に収納される前記第１記憶媒体を管理する記憶媒体管理手段とをさらに含む、請求項１または２記載の物品保管装置。
【請求項４】
前記記憶媒体収納部は、
前記複数の第１記憶媒体を個別に収納可能な複数の個別収納部と、
所定の発行操作に基づいて、各個別収納部に収納されている前記第１記憶媒体を発行する記憶媒体発行部とを含む、請求項１〜３のいずれか一項に記載の物品保管装置。
【請求項５】
前記記憶媒体発行部は、第１記憶媒体とは異なる第２記憶媒体を用いた所定の発行操作に基づいて、前記記憶媒体収納部に収納されている前記第１記憶媒体を発行する、請求項４記載の物品保管装置。
【請求項６】
前記第１記憶媒体は、前記物品保管装置に登録された利用者に関連付けられており、
前記物品保管装置は所定の出退勤情報を受信可能であり、
前記物品保管装置は、受信した出退勤情報に基づいて、未出勤の利用者に関連付けられている前記第１記憶媒体の発行を禁止する発行禁止手段をさらに含む、請求項１〜５のいずれか一項に記載の物品保管装置。
【発明の詳細な説明】
【技術分野】
【０００１】
この発明は、物品を保管するための物品保管装置に関する。
【背景技術】
【０００２】
従来から、金融機関等の店舗のオフィスに設置され、書類、通帳、鍵等の物品を保管するための物品保管装置が知られている。下記引用文献１には、物品を収納するための物品収納部を複数個備えた物品保管装置が開示されている。この物品保管装置には、各物品収納部に、施解錠可能な扉が設けられている。物品保管装置には、オフィスに勤務する複数の利用者が登録されており、各利用者に装置カードが１枚ずつ配布されている。この装置カードを用いて本人認証を行うことができ、本人認証が成功すると、物品保管装置にログインすることができる。ログイン後は、各利用者が、解錠権限を有する物品収納部の扉を施解錠することができる。すなわち、利用者が扉を解錠して、収納庫内に収納されている物品を持ち出すことができるようになっている。
【先行技術文献】
【特許文献】
【０００３】
【特許文献１】特開２００６−３１６５２５号公報
【発明の概要】
【発明が解決しようとする課題】
【０００４】
この装置カード（記憶媒体）は、利用者がオフィス内にいるときは当該利用者が所持しておくことにより安全性が保たれているのであるが、利用者の出勤前や退勤後、利用者の外出時など利用者の不在時にこの装置カードをどこで保管しておくのか、すなわち、利用者の不在時における装置カードの保管場所が問題になる。
たとえば、装置カードを、オフィス内における施解錠可能な机やロッカーで保管することが考えられる。
【０００５】
実際の運用では、退勤（帰宅）や外出した利用者の装置カードは、管理者（管理者の権限を有する利用者）が一括して保管している。たとえば管理者は、自己の机やロッカーを施錠して、オフィスに所属する全員の装置カードを保管している。しかしながら、物品保管装置には重要度の高い物品が保管されていることが多く、その物品保管装置にログインするために用いられる装置カードを、机やロッカー等に保管しておくのは安全上望ましくない。また、このような重要度の高い装置カードを管理者の責任で保管しなければならないとすると、管理者の心理的な負担が極めて大きくなり、望ましくない。
【０００６】
この発明の目的は、このような背景の下でなされたものであり、記憶媒体を保管することができ、これにより装置カードを別途管理する必要をなくすことができる物品保管装置を提供することである。
【課題を解決するための手段】
【０００７】
前記の目的を達成するための請求項１記載の発明は、予め定める物品を収納するための物品収納部（Ｂ１，Ｂ３〜Ｂ１２）と、前記物品収納部とは別に設けられ、前記物品収納部に対し前記物品を出し入れするために用いられる所定の第１記憶媒体（ＡＣ）を収納するための記憶媒体収納部（Ｂ２）とを含む、物品保管装置（１）である。
なお、括弧内の英数字は、後述の実施形態における対応構成要素等を表すが、特許請求の範囲を実施形態に限定する趣旨ではない。以下、この項において同じ。
【０００８】
この構成によれば、物品収納部に対し物品を出し入れするために用いられる第１記憶媒体を収納するための記憶媒体収納部が、物品保管装置内に設けられている。そして、使用していない第１記憶媒体を記憶媒体収納部に収納することにより、第１記憶媒体を物品保管装置内で安全に保管することができる。これにより、利用者が第１記憶媒体を装置外で保管する必要がないから、利用者の心理的負担を解消することができる。
【０００９】
前記物品収納部は施解錠可能な扉を有しており、前記第１記憶媒体は、前記扉を施解錠するために用いられるものであってもよい。
また、請求項２に記載のように、前記物品収納部に対し前記物品を出し入れするために、前記第１記憶媒体のＩＤ認証を含む第１の認証を必要とする所定の出し入れ操作に基づいて、前記物品収納部に対する前記物品を出し入れするものであり、前記第１の認証とは態様の異なる第２の認証を必要とする所定の発行操作に基づいて、前記記憶媒体収納部に収納されている前記第１記憶媒体の取り出しを可能としていてもよい。
【００１０】
なお、この明細書において、「認証の態様が異なる」とは、ＩＤ認証とパスワード認証とのように認証の種類が異なる場合のほか、要求される認証の回数が異なる場合を含む趣旨である。要求される認証の回数が異なる場合として、一方がＩＤ認証とパスワード認証との双方が要求されるのに対し、他方がＩＤ認証のみが要求されるなどを含む趣旨である。
【００１１】
請求項３記載の発明は、前記第１記憶媒体から所定の情報を読み取るための記憶媒体読取手段（１０１）と、前記第１記憶媒体から前記記憶媒体読取手段が読み取った情報に基づいて、前記記憶媒体収納部に収納される前記第１記憶媒体を管理する記憶媒体管理手段（１０４）とをさらに含む、請求項１または２記載の物品保管装置である。
この構成によれば、記憶媒体読取手段が第１記憶媒体から読み取った情報に基づいて、記憶媒体収納部への収納状況が管理される。そのため、記憶媒体収納部に対する第１記憶媒体の収納の有無等を、利用者が知ることが可能である。
【００１２】
請求項４記載の発明は、前記記憶媒体収納部は、前記複数の第１記憶媒体を個別に収納可能な複数の個別収納部（４６）と、所定の発行操作に基づいて、各個別収納部に収納されている前記第１記憶媒体を発行する記憶媒体発行部（３２，３６，５１，１５０）とを含む、請求項１〜３のいずれか一項に記載の物品保管装置である。
この構成によれば、各個別収納部に第１記憶媒体が収納可能である。各個別収納部に収納されている第１記憶媒体は、所定の発行操作によって発行される。すなわち、記憶媒体収納部に収納されている複数の第１記憶媒体を１枚ずつ取り出すことができる。
【００１３】
なお、発行操作は物品保管装置の操作部（１０２）で行われてもよいし、記憶媒体収納部に別途設けられた操作部で行われてもよい。
請求項５記載の発明は、前記記憶媒体発行部は、第１記憶媒体とは異なる第２記憶媒体（ＥＣ）を用いた所定の発行操作に基づいて、前記記憶媒体収納部に収納されている前記第１記憶媒体を発行する、請求項４記載の物品保管装置である。
【００１４】
この構成によれば、第２記憶媒体を用いた操作によって、記憶媒体収納部から第１記憶媒体を発行させることができる。そして、記憶媒体収納部から発行された第１記憶媒体を用いた操作によって、物品収納部に対して物品を出し入れすることができる。このように、各操作で必要な記憶媒体が異なるので、物品保管装置のセキュリティをより一層高めることができる。
【００１５】
請求項６記載の発明は、前記第１記憶媒体は、前記物品保管装置に登録された利用者に関連付けられており、前記物品保管装置は所定の出退勤情報を受信可能であり、前記物品保管装置は、受信した出退勤情報に基づいて、未出勤の利用者に関連付けられている前記第１記憶媒体の発行を禁止する発行禁止手段（１０５）をさらに含む、請求項１〜５のいずれか一項に記載の物品保管装置である。
【００１６】
この構成によれば、未出勤の利用者に関連付けられている第１記憶媒体の発行は禁止され、出勤済みの利用者に関連付けられている第１記憶媒体の発行は許容される。すなわち、物品の出し入れのために用いられる可能性がある第１記憶媒体を除いて、記憶媒体収納部からの第１記憶媒体の発行が禁止される。これにより、利用者の使い勝手を阻害することなく、より安全に第１記憶媒体を保管することができる。
【図面の簡単な説明】
【００１７】
【図１】本発明の第１実施形態に係る物品保管装置の概略的な構成を示す正面図である。
【図２】図１に示す物品保管装置の電気的構成を示すブロック図である。
【図３】図１に示すカード管理ユニットの構成を示す図である。
【図４】図３に示すカード収納体および押出手段の構成を示す図である。
【図５】図２に示す利用者管理テーブルの一例を示す図である。
【図６】図２に示す物品管理テーブルの一例を示す図である。
【図７】図１に示す鍵管理ユニットの電気的構成を示すブロック図である。
【図８】図１に示すカード管理ユニットの電気的構成を示すブロック図である。
【図９】図１に示す通帳管理ユニットの電気的構成を示すブロック図である。
【図１０】図１に示す物品保管装置が実行する処理手順を示すフローチャートである（その１）。
【図１１】図１に示す物品保管装置が実行する処理手順を示すフローチャートである（その２）。
【図１２】タッチパネルＬＣＤに表示されるカード未持ち出し待機画面の一例を示す図である。
【図１３】タッチパネルＬＣＤに表示される従業員パスワード入力画面の一例を示す図である。
【図１４】タッチパネルＬＣＤに表示される通常待機画面の一例を示す図である。
【図１５】タッチパネルＬＣＤに表示される装置パスワード入力画面の一例を示す図である。
【図１６】図１に示す物品保管装置で実行される自動シャットダウン処理の流れを示すフローチャートである。
【図１７】図９に示す通帳計数部の構成を模式的に示す図である。
【図１８】図９に示す通帳精査部の電気的構成を示すブロック図である。
【図１９】図１８に示す波形抽出部における処理を説明するための図である。
【図２０】図１８に示す検証部における天地判定処理を説明するための図である。
【図２１】図１８に示す検証部における凹部判定処理を説明するための図である。
【図２２】図１８に示す検証部における幅検証処理を説明するための図である（その１）。
【図２３】図１８に示す検証部における幅検証処理を説明するための図である（その２）。
【図２４】図９に示す通帳精査部により実行される通帳計数処理の流れを示すフローチャートである。
【図２５】タッチパネルＬＣＤに表示される扉設定画面の一例を示す図である。
【図２６】タッチパネルＬＣＤに表示される通帳厚み設定画面の一例を示す図である（その１）。
【図２７】タッチパネルＬＣＤに表示される通帳厚み設定画面の一例を示す図である（その２）。
【図２８】タッチパネルＬＣＤに表示される通帳厚み設定画面の一例を示す図である（その３）。
【図２９】通帳厚み計測処理の流れを示すフローチャートである。
【図３０】通帳厚み計測処理後にタッチパネルＬＣＤに表示される扉設定画面の一例を示す図である。
【図３１】本発明の第２実施形態に係る物品保管装置の電気的構成を示すブロック図である。
【図３２】本発明の第３実施形態に係る物品保管装置の構成を示す図である。
【図３３】カード管理ユニットの変形例を示す断面図である。
【発明を実施するための形態】
【００１８】
以下では、この発明の実施の形態を、添付図面を参照して詳細に説明する。
図１は、本発明の第１実施形態に係る物品保管装置１の概略的な構成を示す正面図である。物品保管装置１は、銀行等に代表される金融機関の店舗のオフィスに設置されている。物品保管装置１は、操作制御ユニット１０と、鍵を保持して管理するための鍵管理ユニット２１と、物品保管装置１へのログインに必要な装置カード（第１記憶媒体）ＡＣを保持して管理するためのカード管理ユニット２２と、バラ通帳（以下、単に「通帳」という。）を保持して管理するための通帳管理ユニット２３と、一般ユニット２４と、一般ユニット２５とを備えている。このように、物品保管装置１は、複数のユニット１０，２１〜２５を組み合わせて構成されている。物品保管装置１には当該オフィスに勤務する複数の利用者が登録されており、利用者に装置カードＡＣ（図３および図４参照）が１枚ずつ配布されている。
【００１９】
図１に示す配置構成では、オフィスの床面直上に一般ユニット２５および通帳管理ユニット２３が、左右方向にこの順に並置されている。一般ユニット２５の上には、カード管理ユニット２２および操作制御ユニット１０が、左右方向にこの順に並んで載置されている。また、カード管理ユニット２２上には鍵管理ユニット２１が載置されている。
この明細書では、図１に示す物品保管装置１における床面直上に設置される通帳管理ユニット２３および一般ユニット２５をそれぞれ「下段ユニット」と言う場合があり、また、下段ユニット（通帳管理ユニット２３および一般ユニット２５）の上方に設置される操作制御ユニット１０、鍵管理ユニット２１、カード管理ユニット２２および一般ユニット２４をそれぞれ「上段ユニット」と言う場合がある。
【００２０】
鍵管理ユニット２１は、複数の鍵を収納するとともに、各鍵の持ち出しや返却を個別に管理するための管理／収納ユニットである。鍵管理ユニット２１は物品収納部Ｂ１内に所定個数（たとえば３０個）の鍵を保管可能である。鍵管理ユニット２１の物品収納部Ｂ１は、筐体からなる物品収納部Ｂ１の本体の前面を開閉するための扉２１５と、扉２１５を施解錠するための扉施錠部２１２（図７参照）とを備えている。扉２１５は物品収納部Ｂ１の本体に片開き可能に取り付けられている
カード管理ユニット２２は、複数枚の装置カードＡＣを収納するとともに、各装置カードＡＣの持ち出しや返却を個別に管理するための管理／収納ユニットである。装置カードＡＣは、物品保管装置１にログインするために用いられる操作カード（磁気カード）である。カード管理ユニット２２のカード収納部（記憶媒体収納部）Ｂ２内には、所定枚数（図１および図３に示すカード収納部Ｂ２ではたとえば５０枚）の装置カードＡＣを収納可能である。
【００２１】
通帳管理ユニット２３は３つの物品収納部Ｂ１０〜Ｂ１２を備えている。物品収納部Ｂ１０、物品収納部Ｂ１１および物品収納部Ｂ１２は、それぞれ複数の通帳を収納可能である。通帳管理ユニット２３は、物品収納部Ｂ１０〜Ｂ１２の複数の個別収納部（図示しない）に収納されている通帳の持ち出しや返却を個別に管理する管理／収納ユニットである。
【００２２】
各物品収納部Ｂ１０〜Ｂ１２は開閉可能な扉２３５，２６５を備えている。物品収納部Ｂ１０，Ｂ１１の扉２３５は、各物品収納部Ｂ１０，Ｂ１１の本体に引き出し可能に取り付けられている。物品収納部Ｂ１２の扉２６５は、物品収納部Ｂ１２の本体に片開き可能に取り付けられている。また、通帳管理ユニット２３は、各物品収納部Ｂ１０〜Ｂ１２の扉２３５，２６５を施解錠するための扉施錠部２３１（図９参照）を備えている。
【００２３】
一般ユニット２４は、４つの物品収納部Ｂ３〜Ｂ６を備えており、ファイルや束通帳等の重要度の高い物品を保管するための重要物管理ユニットである。各物品収納部Ｂ３〜Ｂ６は開閉可能な扉２４５を備えている。この扉２４５は各物品収納部Ｂ３〜Ｂ６の本体に片開き可能に取り付けられている。また、一般ユニット２４は、各物品収納部Ｂ３〜Ｂ６の扉２４５を施解錠するための扉施錠部（図示しない）を備えている。
【００２４】
一般ユニット２５は、３つの物品収納部Ｂ７〜Ｂ９を備えており、融資書類等の重要度の極めて高い物品を保管するための耐火ユニットである。各物品収納部Ｂ７〜Ｂ９は開閉可能な扉２５５を備えている。この扉２５５は各物品収納部Ｂ７〜Ｂ９の本体に引き出し可能に取り付けられている。また、一般ユニット２５は、各物品収納部Ｂ７〜Ｂ９の扉２５５を施解錠するための扉施錠部（図示しない）を備えている。
【００２５】
操作制御ユニット１０は、ユニット２１〜２５の施解錠等を制御する制御ユニットである。操作制御ユニット１０の本体の前面中央部には、タッチパネルＬＣＤ（Liquid Crystal Display）１０２が配設されている。タッチパネルＬＣＤ１０２は、各種の画面やメッセージ等を表示したり、指先等によるタッチにより操作したりするための表示操作部である。利用者は物品保管装置１から物品を持ち出す場合に、タッチパネルＬＣＤ１０２を操作して、目的の物品が保管されているユニット２１、２３〜２５の物品収納部Ｂ１，Ｂ３〜Ｂ１２の扉２１５，２３５，２４５，２５５を解錠する。
【００２６】
また、操作制御ユニット１０には、タッチパネルＬＣＤ１０２の一側方（図１に示す右方）に、カードリーダ１０１が配置されている。操作制御ユニット１０の本体の前面には、カードリーダ１０１の読み取り溝１０１ａが形成されている。カードリーダ１０１は、装置カードＡＣ（図３および図４参照）や従業員カードＥＣとして用いられる磁気カードからＩＤ(Identification）を読み取るための読取装置である。
【００２７】
物品保管装置１には、同じ店舗内にそれぞれ設置されているホストコンピュータ２６、ＡＴＭ（Automatic Teller Machine）２７、両替機２８、出納機２９等が通信可能に接続されている。ホストコンピュータ２６は、顧客の銀行口座の口座番号等を含む口座情報や、暗証番号、口座残高等の顧客情報を保持して、顧客の口座を管理するための装置である。ＡＴＭ２７は、顧客が当該顧客の銀行口座に対し、貨幣を引き出したり貨幣を入金したりするための装置である。両替機２８は、現金の両替処理を行うための装置である。出納機２９は、現金の入金および出金を行うための装置であり、主として店舗の従業員（すなわち利用者）によって操作される。
【００２８】
物品保管装置１は、鍵管理ユニット２１から鍵を持ち出す操作をログイン中の利用者が行う場合、その利用者が施解錠権限を有する鍵ホルダの位置を示す鍵位置案内画面（図示しない）がタッチパネルＬＣＤ１０２に表示される。また、物品保管装置１は、ログイン中の利用者が通帳管理ユニット２３から通帳を持ち出す操作を行う場合、当該利用者が持ち出そうとしている通帳が収納されている物品収納部Ｂ１０，Ｂ１１および通帳個別収納領域の位置を示す通帳位置案内画面（図示しない）が、タッチパネルＬＣＤ１０２に表示される。このように、タッチパネルＬＣＤ１０２に鍵位置案内画面や通帳位置案内画面が表示されるから、利用者は、出し入れの対象になる鍵や通帳が、鍵管理ユニット２１や通帳管理ユニット２３のどの位置に収納されているかを容易に把握することができる。
【００２９】
しかも、物品保管装置１では、図１に示すように、鍵管理ユニット２１、カード管理ユニット２２、通帳管理ユニット２３、一般ユニット２４および一般ユニット２５が、操作制御ユニット１０に隣接して配置されている。言い換えれば、これらのユニット２１〜２５は、操作制御ユニット１０の周囲に集約して配置されている。そのため、利用者は、タッチパネルＬＣＤ１０２に表示された鍵位置案内画面を見ながら、鍵ホルダ部２１３に対して鍵を取り出す／投入することができる。また、利用者は、タッチパネルＬＣＤ１０２に表示された通帳位置案内画面を見ながら、通帳管理ユニット２３の物品収納部Ｂ１０，Ｂ１１に対して通帳を取り出す／投入することができる。これにより、鍵や通帳の取り出し／投入を、より一層容易に行うことができる。
【００３０】
また、片開き可能な扉２１５を有する鍵管理ユニット２１が上段に配置され、手前側に引き出し可能な扉２３５を有する通帳管理ユニット２３（物品収納部Ｂ１０，Ｂ１１）が下段に配置されている。これにより、鍵管理ユニット２１の鍵ホルダ部２１３や通帳管理ユニット２３（物品収納部Ｂ１２）の通帳個別収納領域がより一層見易くなる。
図２は、物品保管装置１の電気的構成を示すブロック図である。なお、図２では、物品保管装置１の特徴を説明するために必要な構成要素を中心に示している。
【００３１】
物品保管装置１は、操作制御ユニット１０と、被制御ユニット２０とを備えている。この実施形態において被制御ユニット２０とは、操作制御ユニット１０を除くユニット、すなわち、鍵管理ユニット２１、カード管理ユニット２２、通帳管理ユニット２３、一般ユニット２４および一般ユニット２５を含む趣旨である。
操作制御ユニット１０は、カードリーダ１０１と、タッチパネルＬＣＤ１０２と、記憶部１０４（記憶媒体管理手段）と、制御部１０５とを備えている。
【００３２】
記憶部１０４は不揮発性メモリやハードディスクドライブといった記憶デバイスによって、実現されている。記憶部１０４は、被制御ユニット管理情報１０４ａを記憶している。また、記憶部１０４には、利用者管理テーブル１０４ｂおよび物品管理テーブル１０４ｃが設けられている。
被制御ユニット管理情報１０４ａは、被制御ユニット２０に含まれる各ユニット、すなわち鍵管理ユニット２１、カード管理ユニット２２、通帳管理ユニット２３、一般ユニット２４および一般ユニット２５に関する情報である。被制御ユニット管理情報１０４ａは、各ユニット２１，２２，２３，２４，２５の位置情報、鍵ホルダ部２１３（図７参照）の状態に関する情報、各カード個別収納部４６の状態に関する情報、通帳管理ユニット２３の各通帳個別収納領域の状態に関する情報、通帳管理ユニット２３の通帳計数部２３２（図９参照）による計数結果情報等を含んでいる。
【００３３】
図３は、図１に示すカード管理ユニット２２の構成を示す図である。図１および図３を参照して、カード管理ユニット２２について説明する。このカード管理ユニット２２は装置カードＡＣを収納するとともに、その装置カードＡＣを発行することができるようになっている。この実施形態では装置カードＡＣとして磁気カードが用いられているので、カード管理ユニット２２は磁気カードを収納／発行しているが、装置カードＡＣとしてＩＣカード（とくに非接触ＩＣカード）を用いることもでき、この場合には、カード管理ユニット２２はＩＣカード（とくに非接触ＩＣカード）を収納・発行することができる。なお、装置カードＡＣとしてＩＣカード（とくに非接触ＩＣカード）を用いる場合には、カードリーダ１０１として、ＩＣカードを読み取り可能なカードリーダが必要なのは言うまでもない。
【００３４】
カード管理ユニット２２のカード収納部Ｂ２は、筐体からなる本体内に、複数枚の装置カードＡＣを収納している。カード収納部Ｂ２の本体の前壁上部には、装置カードＡＣの投入／排出を行うためのカード投入／排出口３１が配設されている。カード投入／排出口３１は、装置カードＡＣを水平姿勢で前方へ送り出して発行したり、後方へ送り出して受け入れたりすることが可能な構成になっている。また、以下の説明では、装置カードＡＣを複数枚収納するためのカード収納体４３からカード投入／排出口３１に至る、装置カードＡＣを搬送するための搬送通路に関し、カード収納体４３側を「上流側」と言い、カード投入／排出口３１側を「下流側」と言う場合がある。
【００３５】
カード投入／排出口３１の後方側（すなわち上流側）には、装置カードＡＣに対してデータを書き込み／読み出すためのカードデータ処理部３２が配設されている。カードデータ処理部３２は、装置カードＡＣを搬送するための第１搬送機構３３と、第１搬送機構３３により保持されている装置カードＡＣに対し、データの読み出しや書き込みを実行するためのカードリーダライタ（図示しない）とを備えている。第１搬送機構３３は装置カードＡＣを、カード投入／排出口３１へ向けて前方へ、あるいはカード投入／排出口３１から後方へ向けて、双方向に搬送するものである。第１搬送機構３３は装置カードＡＣを水平姿勢で搬送するための第１搬送通路３４と、装置カードＡＣを挟み込んだ状態で、当該カードＡＣを第１搬送通路３４に沿って搬送するための複数対の第１搬送ローラ３５とを備えている。
【００３６】
カードデータ処理部３２に対し、カード投入／排出口３１と反対側（すなわち上流側）には、装置カードＡＣを回転させてその向きを変更するための回転搬送部３６が配設されている。回転搬送部３６は、装置カードＡＣを上流側および下流側の双方向に搬送するための第２搬送機構３７を備えている。第２搬送機構３７は、装置カードＡＣを搬送するための第２搬送通路３８と、装置カードＡＣを挟み込んだ状態で、当該カードＡＣを第２搬送通路３８に沿って搬送するための複数対の第２搬送ローラ３９とを備えている。
【００３７】
回転搬送部３６は、左右方向に水平に延びる中心軸４０まわりに回転搬送部３６を回転させる回転機構４１を備えている。中心軸４０は第２搬送通路３８における搬送方向の略中央に配設されている。回転機構４１は、回転搬送部３６を、第２搬送通路３８が鉛直方向に延びる鉛直姿勢と、第２搬送通路３８が水平方向に延びる水平姿勢との間で、中心軸４０まわりに略９０°回転させることが可能である。回転搬送部３６が鉛直姿勢にある状態では、回転搬送部３６は移動搬送部５１との間で互いに装置カードＡＣの受け渡しが可能である。また、回転搬送部３６が水平姿勢にある状態では、回転搬送部３６は、カードデータ処理部３２との間で互いに装置カードＡＣの受け渡しが可能である。回転機構４１は、回転搬送部３６を回転駆動するためのステッピングモータ等の回転駆動部（図示しない）や、回転搬送部３６の回転位置を検知するための回転位置検知部（図示しない）等を含む。
【００３８】
回転搬送部３６の後方には、異常のある装置カードＡＣを回収するためのリジェクトボックス４２が配設されている。カードデータ処理部３２で異常のカードと判別された装置カードＡＣは、水平姿勢にある回転搬送部３６から後方に向けて搬送され、リジェクトボックス４２に受け入れられて回収される。
一方、カード収納部Ｂ２の下部には、複数枚の装置カードＡＣを収納するためのカード収納体４３が配設されている。すなわち、カード収納体４３は、カードデータ処理部３２、回転搬送部３６およびリジェクトボックス４２の下方に配設されている。カード収納体４３の下方には、カード収納体４３に収納されている任意の装置カードＡＣを、カード収納体４３内から上方へ押し出すための押出手段４４が配設されている。押出手段４４は移動搬送部５１に同伴移動可能に結合されている。
【００３９】
カード収納体４３は、上下双方に開口する前後方向に長いカード収納枠４５を有している。カード収納枠４５内に、装置カードＡＣを収納するための複数のカード個別収納部４６は前後方向に所定のピッチで並置されている。各カード個別収納部４６は装置カードＡＣを、鉛直姿勢でかつ上方に取出可能に収納保持する。
カード収納枠４５には、複数のリブ４８を有するリブプレート４７が取り付けられている。具体的には、リブプレート４７はカード収納枠４５の左右両端部にねじ止めにより取り付けられている。隣り合うリブ４８間には、カード個別収納部４６に収納される装置カードＡＣの側辺を受け止めるための溝部４９、およびカード個別収納部４６に収納される装置カードＡＣの下辺を支持するための支持部５０（図４参照）が形成されている。左右両側で互いに対向する一対の溝部４９の間に、装置カードＡＣを収納するためのカード個別収納部４６が形成されている。
【００４０】
複数のカード個別収納部４６の上方には、たとえば透過型の光学センサによって構成され、カード個別収納部４６からの装置カードＡＣの上方に向かう飛び出しを検知するための飛び出し検知センサ６６（図８参照）が配設されている。具体的には、飛び出し検知センサ６６はカード収納枠４５の前後両端の上部にそれぞれ取り付けられた投光部および受光部を備えている。投光部は受光部に向けて、前方または後方に光を投射する。また、各受光部は、投光部からの光を検出する。カード個別収納部４６から上方へ飛び出した装置カードＡＣによって、その光が遮られることにより、装置カードＡＣの飛び出しが検知されるようになっている。カード収納部Ｂ２では、装置カードＡＣ毎に収納すべきカード個別収納部４６が設定されており、記憶部１０４の利用者管理テーブル１０４ｂには、各利用者に配布された装置カードＡＣを収納すべきカード個別収納部４６の位置（複数のカード個別収納部４６のうち一のカード個別収納部４６の位置。以下、「カード収納位置」と言う場合がある。）に関する位置情報（たとえば収納位置番号。）が記憶されている。
【００４１】
カード収納部Ｂ２における上下方向中間部には、装置カードＡＣを鉛直姿勢で鉛直方向に搬送する移動搬送部５１が前後方向に移動可能に配設されている。移動搬送部５１は、カードデータ処理部３２、回転搬送部３６およびリジェクトボックス４２と、カード収納体４３との間の領域を前後方向に移動する。移動搬送部５１は、装置カードＡＣを搬送するための第３搬送機構５２を備えている。第３搬送機構５２は、装置カードＡＣを鉛直姿勢で搬送するための第３搬送通路５３と、装置カードＡＣを挟み込んだ状態で、当該カードＡＣを第３搬送通路５３に沿って搬送するための複数対の第３搬送ローラ５４とを備えている。
【００４２】
移動搬送部５１は、移動搬送部５１を前後方向に水平移動させるための移動機構（図示しない）を備えている。移動機構は、最も前方のカード個別収納部４６との間で装置カードＡＣの受け渡しが可能な前位置（図３に二点鎖線で示す右側の位置）と、最も後方のカード個別収納部４６との間で装置カードＡＣの受け渡しが可能な後位置（図３に二点鎖線で示す左側の位置）との間で、移動搬送部５１を前後方向に水平移動させることが可能である。この移動搬送部５１の原点位置は、鉛直姿勢にある回転搬送部３６との間で互いに装置カードＡＣの受け渡しを可能とする位置（図３に実線で示す位置）である。移動機構は、移動搬送部５１を水平移動させるためのステッピングモータ等の駆動部（図示しない）や、移動搬送部５１の水平方向位置を検知するための水平方向位置検知部（図示しない）等を含む。そして、装置カードＡＣを発行するためのカード発行部（記憶媒体発行部）は、カードデータ処理部３２、回転搬送部３６、移動搬送部５１および制御部１５０を含む。
【００４３】
図４は、カード収納体４３および押出手段４４の構成を示す図である。図３および図４を参照して、押出手段４４は、移動搬送部５１に同伴して前後方向に水平移動可能な移動枠５５を備えている。移動枠５５は、カード収納体４３の左右一方に配置される鉛直部５６とカード収納体４３の下方に配置される水平部５７とを有しており、略Ｌ字形をなしている。
【００４４】
移動枠５５の水平部５７には、カード収納体４３の下方に配置される押出レバー５８が、左右方向に水平な支軸６５によって揺動可能に支持されている。押出レバー５８の一端には、押出レバー５８の揺動に同伴して移動し、カード収納体４３内に進退する押出部５９が突設されている。押出レバー５８の他端には、押出部５９が下降する方向に付勢する圧縮コイルばね６０が移動枠５５との間に介装されている。
【００４５】
移動枠５５の鉛直部５６にはソレノイド６１が配設され、このソレノイド６１のプランジャ６２と押出レバー５８とがリンク６３を介して連結されている。ソレノイド６１のオン時には、押出部５９が上昇してカード収納体４３内に進入するように押出レバー５８が揺動し、これにより、押出部５９がカード個別収納部４６内に収納されている装置カードＡＣの下辺に接触して上方へ押し出す。一方、ソレノイド６１のオフ時には、圧縮コイルばね６０の付勢力で、押出部５９は下降しカード収納体４３内から下方へ退避する。
【００４６】
押出部５９の上面には装置カードＡＣと接触する接触面６４が形成され、この接触面６４は装置カードＡＣの下辺を受け入れ可能に、カード主面の方向に沿う円弧状をなす凹状に設けられている。
図５は、図２に示す利用者管理テーブル１０４ｂの一例を示す図である。利用者管理テーブル１０４ｂには、物品保管装置１に登録済みの利用者のデータが格納（記憶）されている。具体的には、利用者管理テーブル１０４ｂには、利用者に配布されている装置カードＡＣのＩＤ（以下、「装置用ＩＤ」という。）に対応して、当該利用者の名称、当該装置カードＡＣに関連して登録されているパスワード（以下、「装置パスワード」という。）、当該利用者に付与されている従業員カードＥＣ（図１参照）のＩＤ（以下、「従業員用ＩＤ」という。）、当該従業員カードＥＣに関連して登録されているパスワード（以下、「従業員パスワード」という。）、当該装置カードＡＣを収納すべき個別収納部として割り当てられたカード個別収納部４６の位置情報（以下、「カード収納位置情報」という。）、当該カード個別収納部４６における装置カードＡＣの有無を示すカード有無フラグの値、当該利用者が施解錠権限を有する扉（以下、「権限扉」という。）および当該利用者の権限（図４では「利用者権限」と示す。）が格納されている。
【００４７】
従業員カードＥＣは、当該利用者である従業員に金融機関から付与されたカード（磁気カード）である。この従業員カードＥＣを用いて、各店舗のオフィスにおける勤怠管理が行われている。
利用者の装置カードＡＣが当該装置カードＡＣに割り当てられたカード個別収納部４６に収納されているときは、カード有無フラグに「１」が格納され、利用者の装置カードＡＣが当該カード個別収納部４６に収納されていないときは、カード有無フラグに「０」が格納される。この実施形態では、カード有無フラグに「０」や「１」を格納して装置カードＡＣの有無を管理しているが、このような管理のためにカード有無フラグに格納される値は「０」や「１」に限られず、他の値が用いられてもよいのは言うまでもない。
【００４８】
利用者の権限とは、物品保管装置１を管理する上での各利用者に付与された権限（の度合い）をいう。この利用者の権限は、利用者の役職および／または職務に応じて当該利用者に付与されている。図５では、利用者の権限は、管理者および行員の２段階に区分けされているが、３段階以上に区分けされていてもよい。また、利用者の権限として、図５に示す「管理者」または「一般」のような役職（および／または職務）のまま利用者管理テーブル１０４ｂに格納するものであってもよいし、「高」または「低」のような権限度合いのまま利用者管理テーブル１０４ｂに格納するものであってもよい。
【００４９】
物品保管装置１への利用者の登録、すなわち利用者管理テーブル１０４ｂへのデータの格納は、操作制御ユニット１０のタッチパネルＬＣＤ１０２の操作により行われる。
図５では、物品保管装置１に登録されている利用者の一例として、「栄光太郎」および「栄光次郎」の２名を挙げているが、実際にはより多くの利用者を物品保管装置１に登録できることは言うまでもない。
【００５０】
図６は、物品管理テーブル１０４ｃの一例を示す図である。物品管理テーブル１０４ｃには、物品保管装置１の複数の物品収納部Ｂ１，Ｂ３〜Ｂ１２に関し、各物品収納部Ｂ１，Ｂ３〜Ｂ１２に収納される物品、および各物品収納部Ｂ１，Ｂ３〜Ｂ１２を利用可能な利用者が記憶されている。
図２を再び参照して制御部１０５について説明する。制御部１０５は、被制御ユニット２０からの情報の取得、利用者の認証、タッチパネルＬＣＤ１０２の表示制御、被制御ユニット２０への各種指示等の処理を行う。制御部１０５は、情報取得部１０５ａ、認証部１０５ｂ、表示制御部１０５ｃおよび指示部１０５ｄを備えており、たとえばマイクロコンピュータにより実現されている。
【００５１】
情報取得部１０５ａは、被制御ユニット２０（ユニット２１〜２５）から情報を取得するための処理部である。たとえば、情報取得部１０５ａは、鍵管理ユニット２１、カード管理ユニット２２、通帳管理ユニット２３および一般ユニット２４，２５から、各ユニット２１〜２５の位置情報や物品収納部Ｂ１，Ｂ３〜Ｂ１２の扉の開閉状態情報等を取得する。
【００５２】
より具体的には、情報取得部１０５ａは、カード収納体４３に含まれるカード個別収納部４６の位置情報やカード個別収納部４６の状態情報を鍵管理ユニット２１から取得する。カード個別収納部４６の状態情報は、カード個別収納部４６に装置カードＡＣが収納（装填）されているか否かを示すカード有無情報を含む。
また、タッチパネルＬＣＤ１０２に利用者の指先等でタッチされた情報は、情報取得部１０５ａに付与される。
【００５３】
認証部１０５ｂは、利用者の認証を行うための処理部である。具体的には、認証部１０５ｂは、カードリーダ１０１によって読み取られた従業員用ＩＤが、利用者管理テーブル１０４ｂに格納されているか否かを判定する。また、この従業員用ＩＤが利用者管理テーブル１０４ｂに格納されているとき、次いで、認証部１０５ｂは、タッチパネルＬＣＤ１０２に入力された従業員用パスワードが、この従業員用ＩＤに対応して利用者管理テーブル１０４ｂに記憶されている従業員パスワードと一致するか否かを判定する。そして、この従業員パスワードが一致したとき、認証部１０５ｂは真正の利用者であると認証する。
【００５４】
さらに、認証部１０５ｂは、カードリーダ１０１によって読み取られた装置用ＩＤが、前記の従業員用ＩＤに対応して利用者管理テーブル１０４ｂに記憶されている装置用ＩＤと一致するか否かを判定する。また、認証部１０５ｂは、タッチパネルＬＣＤ１０２に入力された装置パスワードが、前記の従業員用ＩＤに対応して利用者管理テーブル１０４ｂに記憶されている装置パスワードと一致するか否かを判定する。装置用ＩＤが一致しかつ装置パスワードが一致したとき、認証部１０５ｂは真正の利用者であると認証する。
【００５５】
表示制御部１０５ｃは、タッチパネルＬＣＤ１０２に対して各種の画面を表示させる処理部である。
指示部１０５ｄは、被制御ユニット２０に含まれる物品収納部Ｂ１，Ｂ３〜Ｂ１２の扉２１５，２３５，２４５，２５５の施解錠等の制御指示を実行する。また、指示部１０５ｄは、カード管理ユニット２２のカード発行動作を指示（以下、「発行指示」という場合がある。）するとともに、カード管理ユニット２２のカード収納動作を指示（以下、「収納指示」という場合がある。）する。
【００５６】
図７は、鍵管理ユニット２１の電気的構成を示すブロック図である。鍵管理ユニット２１は、Ｉ／Ｆ（Interface）部２１１と、扉施錠部２１２と、鍵ホルダ部２１３と、鍵管理部２１４とを備えている。
鍵ホルダ部２１３は、複数（たとえば３０個）の鍵ホルダを備えている。各鍵ホルダは個別に施解錠可能に設けられている。
【００５７】
Ｉ／Ｆ部２１１は操作制御ユニット１０との間で通信を行うための入出力部である。操作制御ユニット１０から鍵管理ユニット２１の扉２１５の解錠指示または施錠指示が出力されると、これらの指示はＩ／Ｆ部２１１が受信した後、扉施錠部２１２に付与される。扉施錠部２１２は、操作制御ユニット１０からの解錠指示または施錠指示に基づいて鍵管理ユニット２１の扉２１５の施解錠を行う。
【００５８】
なお、Ｉ／Ｆ部２１１は、鍵管理ユニット２１に対する指示だけでなく、鍵管理ユニット２１の下方に設置された下段ユニット、すなわち、カード管理ユニット２２や一般ユニット２５に対する指示も受け取る。一般ユニット２５に対する指示を受け取ったＩ／Ｆ部２１１はカード管理ユニット２２に対して送信する。
なお、操作制御ユニット１０およびＩ／Ｆ部２１１間、ならびにＩ／Ｆ部２１１および下段ユニット間の通信インターフェイスとしては、たとえばＲＳ−４８５を用いることができる。
【００５９】
鍵管理部２１４は、鍵ホルダ施解錠指示部２１４ａと、状態検知部２１４ｂと、記憶部２１４ｃと、情報通知部２１４ｄとを備えている。鍵管理部２１４と操作制御ユニット１０との間の通信は、Ｉ／Ｆ部２１１経由ではなく、ＬＡＮ（Local Area Network）等を用いて直接行われる。
鍵ホルダ施解錠指示部２１４ａは、鍵ホルダ部２１３に対し、鍵ホルダ部２１３に含まれる鍵ホルダの解錠または施錠を指示する処理部である。
【００６０】
状態検知部２１４ｂは、各鍵ホルダ部２１３に含まれる鍵ホルダが施錠状態または解錠状態のいずれにあるか、および各鍵ホルダに鍵が返却された状態であるか否か（鍵が返却された状態または鍵が持ち出された状態のいずれであるか）を検知する。
記憶部２１４ｃは、不揮発性メモリやハードディスクドライブといった記憶デバイスによって構成されており、鍵ホルダ部２１３に含まれる鍵ホルダの位置情報や、鍵ホルダの状態等を記憶している。
【００６１】
情報通知部２１４ｄは、記憶部２１４ｃに記憶された情報を操作制御ユニット１０に対して通知する処理部である。具体的には、情報通知部２１４ｄは、記憶部２１４ｃに記憶されている情報が更新された場合に、更新された鍵ホルダ状態情報を記憶部２１４ｃから取り出して操作制御ユニット１０に対して通知する。また、情報通知部２１４ｄは、物品保管装置１の起動時に、鍵ホルダ部２１３に含まれる各鍵ホルダの位置情報を操作制御ユニット１０に対して通知する。
【００６２】
図８は、カード管理ユニット２２の電気的構成を示すブロック図である。カード管理ユニット２２は、Ｉ／Ｆ部２２１と、カード収納部Ｂ２の内部に収納されるべき装置カードＡＣを管理するためのカード管理部２２４とを備えている。
Ｉ／Ｆ部２２１は、鍵管理ユニット２１のＩ／Ｆ部２１１に接続されている。このＩ／Ｆ部２２１は、鍵管理ユニット２１を介して操作制御ユニット１０からの発行指示や収納指示を受け取ってカード管理部２２４に付与するとともに、カード管理部２２４から各カード個別収納部４６の位置情報や状態情報を受け取って、鍵管理ユニット２１を介して操作制御ユニット１０に送信する。
【００６３】
また、Ｉ／Ｆ部２２１はカード管理部２２４と操作制御ユニット１０との間の中継だけでなく、一般ユニット２５と操作制御ユニット１０との間の通信の中継も行うことができるＩ／Ｆ部である。
カード管理部２２４は、駆動制御部２２４ａと、記憶部２２４ｂと、情報通知部２２４ｃと、状態検知部２２４ｄとを備えている。
【００６４】
駆動制御部２２４ａは、カードデータ処理部３２、回転搬送部３６、移動搬送部５１および押出手段４４を駆動する処理部である。具体的には駆動制御部２２４ａは、第１搬送ローラ３５、第２搬送ローラ３９、回転機構４１、移動機構（図示しない）、ソレノイド６１等を制御対象として駆動する。
記憶部２２４ｂは、不揮発性メモリやハードディスクドライブといった記憶デバイスによって構成されており、各カード個別収納部４６の位置情報や、各カード個別収納部４６の状態情報（カード有無情報を含む。）等を記憶している。
【００６５】
情報通知部２２４ｃは、記憶部２２４ｂに記憶された情報を操作制御ユニット１０に対して通知する処理部である。具体的には、情報通知部２２４ｃは、記憶部２２４ｂに記憶されている、各カード個別収納部４６の状態情報が更新された場合に、当該状態情報を記憶部２２４ｂから取り出して操作制御ユニット１０に対して通知する。また、情報通知部２２４ｃは、物品保管装置１の起動時に、各カード個別収納部４６の位置情報や状態情報を操作制御ユニット１０に対して通知する。
【００６６】
状態検知部２２４ｄには飛び出し検知センサ６６からの検出出力が入力されている。状態検知部２２４ｄは、この検出出力に基づいて、各カード個別収納部４６における装置カードＡＣの有無を検知する。
カード管理ユニット２２では、所定のタイミングでおよび／または所定時間毎に、各カード個別収納部４６における装置カードＡＣの有無を確認する有無確認処理が実行される。図３、図４および図８を参照して、有無確認処理について具体的に説明する。
【００６７】
駆動制御部２２４ａは前記移動機構を制御して、移動搬送部５１を、前記前位置、前記後位置および原点位置のいずれかの位置に移動させる。また、駆動制御部２２４ａは移動搬送部５１に同伴移動している押出手段４４のソレノイド６１をオンにして、押出部５９をカード個別収納部４６内に下方から進入させる。
カード個別収納部４６に装置カードＡＣが収納されている場合、カード個別収納部４６内に進入する押出部５９により装置カードＡＣが上方へ押し出されて、飛出し検知センサ６６がそれまでの受光状態から遮光状態になり、これに伴って飛出し検知センサ６６の検出出力が変化する。そのため、状態検知部２２４ｄは、装置カードＡＣがカード個別収納部４６に収納されていることを検知することができる。一方、カード個別収納部４６に装置カードＡＣが未収納である場合、飛出し検知センサ６６は受光状態で維持される。そのため、状態検知部２２４ｄは、カード個別収納部４６に装置カードＡＣが未収納であることを検知することができる。
【００６８】
このカード個別収納部４６に対する有無確認後は、駆動制御部２２４ａはソレノイド６１をオフするとともに、前記移動機構を制御して移動搬送部５１を当該カード個別収納部の隣のカード個別収納部４６との間でカード受け渡し可能な位置まで移動させる。この位置への移動後、駆動制御部２２４ａは、ソレノイド６１をオン／オフ制御して押出部５９をカード個別収納部４６内に進入／退避させるとともに、状態検知部２２４ｄは、飛出し検知センサ６６からの検出出力の有無を確認する。このようにして、この有無確認処理では、カード収納体４３の全てのカード個別収納部４６に対し、装置カードＡＣの有無確認が実行される。
【００６９】
図９は、通帳管理ユニット２３の電気的構成を示すブロック図である。通帳管理ユニット２３は、扉施錠部２３１と、通帳計数部２３２と、通帳精査部２３３とを備えている。
各物品収納部Ｂ１０，Ｂ１１内は複数の通帳個別収納領域に区分けされており、通帳個別収納領域毎に、同一種類の通帳を収納することができるようになっている。より具体的には、各物品収納部Ｂ１０，Ｂ１１は、左手前側の領域、右手前側の領域、左奥側の領域および右奥側の領域という４つの領域に区分けされており、これらの各領域が通帳個別収納領域を構成している。
【００７０】
扉施錠部２３１は、通帳管理ユニット２３の扉２３５の施解錠を行うための施解錠部である。扉施錠部２３１は、通帳管理ユニット２３の上方に設置された一般ユニット２５のＩ／Ｆ部（図示しない）を介して操作制御ユニット１０との間で通信を行っている。扉施錠部２３１は、操作制御ユニット１０からの指示に従って物品収納部Ｂ１０〜Ｂ１２の扉２３５，２６５の施解錠を行う。
【００７１】
通帳計数部２３２は、通帳管理ユニット２３の物品収納部Ｂ１０，Ｂ１１に収納された通帳を計数するための機構である。通帳計数部２３３は通帳個別収納領域毎に設けられている。各通帳計数部２３３は、対応する通帳個別収納領域に収納された通帳の冊数を計数する。通帳計数部２３２の具体的な構成については後述する。
通帳精査部２３３は、計数制御部２３３ａと、記憶部２３３ｂと、情報通知部２３３ｃとを備えている。
【００７２】
図１０および図１１は、物品保管装置１が実行する処理手順を示すフローチャートである。以下、図１〜図３、図５、および図７〜図１１を参照して、物品保管装置１の処理手順について説明する。
電源が投入されて物品保管装置１が起動されると、物品保管装置１は初期化処理を行う（ステップＳ０）。この初期化処理において、制御部１０５の情報取得部１０５ａは、被制御ユニット２０（ユニット２１〜２５）の位置情報、鍵ホルダに関連する情報（位置情報など）、カード個別収納部４６の位置情報や状態情報、計数結果情報等を取得し、被制御ユニット管理情報１０４ａとして記憶部１０４に記憶させる。初期化処理の終了後、物品保管装置１では、制御部１０５（表示制御部１０５ｃ）がタッチパネルＬＣＤ１０２にカード未持ち出し待機画面を表示させる（ステップＳ１）。
【００７３】
図１２は、タッチパネルＬＣＤ１０２に表示されるカード未持ち出し待機画面の一例を示す図である。カード未持ち出し待機画面には、従業員カードＥＣをカードリーダ１０１に通すことを促す旨の画像２５１、ならびに「装置カードを取り出してください。」および「従業員カードを通してください。」など、利用者に対し装置カード発行操作の実行を促すメッセージ２５０が表示される。装置カード発行操作は、従業員カードＥＣをカードリーダ１０１に通し、その後従業員パスワードを入力することにより行われる。
【００７４】
図１および図１０に示すように、従業員カードＥＣがカードリーダ１０１に通され、カードリーダ１０１によって従業員カードＥＣから従業員用ＩＤが読み取られると（ステップＳ２でＹＥＳ）、制御部１０５の表示制御部１０５ｃが、タッチパネルＬＣＤ１０２に従業員パスワード入力画面を表示させる（ステップＳ３）。
図１３は、タッチパネルＬＣＤ１０２に表示される従業員パスワード入力画面の一例を示す図である。従業員パスワード入力画面には、パスワードを入力するための操作キー２６０、ならびに「パスワード入力」および「従業員パスワードを入力してください。」など、利用者に対し従業員パスワードの入力を促すメッセージ２６４が表示される。操作キー２６０は数字キーなどの複数のキーを備えている。具体的には、図１３に示す従業員パスワード入力画面には、「０」〜「９」の数字キー、「００」という数字キー、クリアキーおよびＯＫキーが備えられている。
【００７５】
また、従業員パスワード入力画面には、入力従業員パスワード表示部２６１が備えられている。表示制御部１０５ｃは、操作キー２６０の操作により入力された従業員パスワードを、入力従業員パスワード表示部２６１に表示させる。
この従業員パスワード入力画面には、画面の下部に、入力した従業員パスワードを取り消すための戻るボタン表示部２６２と、装置カードＡＣの発行（取出し）を指示するために操作されるカード取出しボタン２６３とが設けられている。
【００７６】
カード取出しボタン２６３が押操作されると、図１０に示すように、次いで、認証部１０５ｂは、利用者の認証に成功したか否かを判定する（ステップＳ４）。
具体的には、認証部１０５ｂは、カードリーダ１０１によって読み取られた従業員用ＩＤが、利用者管理テーブル１０４ｂに格納されており、かつ、タッチパネルＬＣＤ１０２に入力された従業員用パスワードが、この従業員用ＩＤに対応して利用者管理テーブル１０４ｂに記憶されている従業員パスワードと一致した場合に、利用者の認証に成功したと判定する（ステップＳ４でＹＥＳ）。すなわち、装置カード発行操作に必要な認証（第１の認証）は、ＩＤ認証とパスワード認証との双方である。利用者の認証に成功した場合（ステップＳ４でＹＥＳ）、従業員用ＩＤに対応して利用者管理テーブル１０４ｂに管理されている装置カードＡＣ、すなわち当該利用者に配布されている装置カードＡＣがカード管理ユニット２２から発行される（Ｓ６：装置カード発行処理）。
【００７７】
以下、図１〜図３、図５および図８を参照して、ステップＳ６の装置カード発行処理について具体的に説明する。装置カード発行処理では、操作制御ユニット１０（指示部１０５ｄ）がカード管理ユニット２２のカード管理部２２４に対し、カードリーダ１０１によって読み取られた従業員用ＩＤに対応するカード個別収納部４６（カード収納位置情報）に収納されている装置カードＡＣを発行する旨を指示する。カード管理ユニット２２の待機状態すなわち物品保管装置１の待機状態では、回転搬送部３６が鉛直姿勢に位置しており、移動搬送部５１は原点位置に位置している。
【００７８】
操作制御ユニット１０（指示部１０５ｄ）からの発行指示に基づいて、カード管理部２２４の駆動制御部２２４ａは、前記移動機構を制御して、移動搬送部５１を、装置カードＡＣの取り出しの対象になるカード個別収納部４６との間で装置カードＡＣの受け渡しが可能な位置に移動させる。また、カード管理部２２４の駆動制御部２２４ａは、移動搬送部５１に同伴移動している押出手段４４のソレノイド６１をオンして押出部５９をカード個別収納部４６内に下方から進入させる。これにより、カード個別収納部４６内に収納されていた装置カードＡＣは上方に押し出されて移動搬送部５１に引き渡される。
【００７９】
また、駆動制御部２２４ａは、第３搬送ローラ５４を回転駆動して、カード収納体４３から受け取った装置カードＡＣを、第３搬送通路５３を下流側に向けて搬送させる。また、駆動制御部２２４ａは、前記移動機構を駆動して移動搬送部５１を原点位置まで移動させる。そして、移動搬送部５１が原点位置にある状態で、上方の鉛直姿勢にある回転搬送部３６に装置カードＡＣが引き渡される。
【００８０】
また、駆動制御部２２４ａは、移動搬送部５１が装置カードＡＣを受け取った後、第２搬送ローラ３９を回転駆動して、装置カードＡＣを、第２搬送通路３８を下流側に向けて搬送させる。また、駆動制御部２２４ａは、回転機構４１を駆動して回転搬送部３６を水平姿勢になるまで回転させる。そして、水平姿勢になった回転搬送部３６から、カードデータ処理部３２に装置カードＡＣが引き渡される。
【００８１】
駆動制御部２２４ａは、第１搬送ローラ３５を回転駆動して、回転搬送部３６から受け取った装置カードＡＣを、第１搬送通路３４を下流側に向けて搬送させ、カード投入／排出口３１からユニット外に排出させる。これにより、カード管理ユニット２２から装置カードＡＣが発行される。
図１０を再び参照して、一方、カードリーダ１０１によって読み取られた従業員用ＩＤが利用者管理テーブル１０４ｂに記憶されていないか、あるいは入力された従業員パスワードが、カードリーダ１０１によって読み取られた従業員用ＩＤに対応して利用者管理テーブル１０４ｂに記憶されている従業員パスワードと不一致である場合に、利用者の認証に失敗したと判定される（ステップＳ４でＮＯ）。この場合、制御部１０５（表示制御部１０５ｃ）は、タッチパネルＬＣＤ１０２における従業員パスワード入力画面上に、認証が成立しない旨のエラーメッセージなどを表示させる（Ｓ５：エラー表示）。そして、エラー表示後、またはステップＳ２においてカードリーダ１０１によって従業員カードＥＣが未だ読み取られていない場合（ステップＳ２でＮＯ）、制御部１０５は、ステップＳ１以降の処理を繰り返す。
【００８２】
ステップＳ６の装置カード発行処理の実行後は、物品保管装置１では、制御部１０５（表示制御部１０５ｃ）が、タッチパネルＬＣＤ１０２に通常待機画面を表示させる（ステップＳ８）。
図１４は、タッチパネルＬＣＤ１０２に表示される通常待機画面の一例を示す図である。通常待機画面には、装置カードＡＣをカードリーダ１０１に通すことを促す旨の画像２７１、ならびに「ログインしてください。」および「装置カードを通してください。」など、利用者に対しログイン操作の実行を促すメッセージ２７０が表示される。また、通常待機画面には、画面の下部に、直近に装置カードを取り出した利用者とは異なる他の利用者の装置カードＡＣを、カード管理ユニット２２から持ち出すために操作される持ち出しボタン２７２と、持ち出し（発行）済みの装置カードＡＣを物品保管装置１内に返却するために操作される返却ボタン２７３とを備えている。
【００８３】
図１０に示すように、装置カードＡＣがカードリーダ１０１に通され、カードリーダ１０１によって装置カードＡＣから装置用ＩＤが読み取られると（ステップＳ９でＹＥＳ）、制御部１０５（表示制御部１０５ｃ）が、タッチパネルＬＣＤ１０２に装置パスワード入力画面を表示させる（ステップＳ１０）。
図１５は、タッチパネルＬＣＤ１０２に表示される装置パスワード入力画面の一例を示す図である。装置パスワード入力画面には、パスワードを入力するための操作キー２８０、ならびに「パスワード入力」および「装置パスワードを入力してください。」など、利用者に対し装置パスワードの入力を促すメッセージ２８４が表示される。操作キー２８０は数字キーなどの複数のキーを備えている。具体的には、図１５に示す装置パスワード入力画面には、「０」〜「９」の数字キー、「００」という数字キー、クリアキーおよびＯＫキーが備えられている。
【００８４】
また、装置パスワード入力画面には、入力装置パスワード表示部２８１が備えられている。表示制御部１０５ｃは、操作キー２８０の操作により入力された装置パスワードを、入力装置パスワード表示部２８１に表示させる。
この装置パスワード入力画面には、画面の下部に、入力した装置パスワードを取り消すための戻るボタン２８２と、物品保管装置１へのログインを決定するために操作されるログインボタン２８３が設けられている。図１０に示すように、ログインボタン２８３が押操作されると、次いで認証部１０５ｂは、利用者の認証に成功したか否かを判定する（ステップＳ１１）。
【００８５】
具体的には、認証部１０５ｂは、カードリーダ１０１によって読み取られた装置用ＩＤが、前記の従業員用ＩＤに対応して利用者管理テーブル１０４ｂに記憶されている装置用ＩＤと一致し、かつ入力された装置パスワードが、前記の従業員用ＩＤに対応して利用者管理テーブル１０４ｂに記憶されている装置パスワードと一致した場合に、利用者の認証に成功したと判定する（ステップＳ１１でＹＥＳ）。すなわち、ログインに必要な認証（第２の認証）は、ＩＤ認証とパスワード認証との双方である。利用者の認証に成功した場合（ステップＳ１１でＹＥＳ）、次いで表示制御部１０５ｃは、タッチパネルＬＣＤ１０２に操作メニュー画面（操作選択画面）を表示させる（ステップＳ１３）。ここで、操作メニュー画面には、ユニット２１、２３〜２５の物品収納部Ｂ１，Ｂ３〜Ｂ１２（の扉２１５，２３５，２４５，２５５）にそれぞれに対応するアイコン（操作ボタン）が表示される。
【００８６】
一方、カードリーダ１０１によって読み取られた装置用ＩＤが利用者管理テーブル１０４ｂに記憶されている装置用ＩＤと不一致であるか、あるいは入力された装置パスワードが、カードリーダ１０１によって読み取られた装置用ＩＤに対応して利用者管理テーブル１０４ｂに記憶されている装置パスワードと不一致である場合に、利用者の認証に失敗したと判定される（ステップＳ１１でＮＯ）。この場合、制御部１０５（表示制御部１０５ｃ）が、タッチパネルＬＣＤ１０２における装置パスワード入力画面上に、認証が成立しない旨のエラーメッセージなどを表示させる（Ｓ１２：エラー表示）。そして、エラー表示後、またはステップＳ９において装置カードＡＣがカードリーダ１０１に未だ読み取られていない場合（ステップＳ９でＮＯ）、物品管理装置１は待機状態になり、制御部１０５はステップＳ７以降の処理を繰り返す。このとき、タッチパネルＬＣＤ１０２には通常待機画面が表示される。言い換えれば、物品管理装置１の起動後、ある利用者により装置カードＡＣが一旦取り出された後しばらくすると、物品管理装置１は待機状態に移行し、タッチパネルＬＣＤ１０２には通常待機画面が表示されている。
【００８７】
この状態で、他の利用者が自身の装置カードＡＣを持ち出すことができる。具体的には、当該他の利用者は、タッチパネルＬＣＤ１０２の通常待機画面の持ち出しボタン２７２を押操作する（ステップＳ８でＹＥＳ）。これにより、ステップＳ１の処理へと戻り、再び、タッチパネルＬＣＤ１０２にカード未持ち出し待機画面が表示される。そして、前述した装置カード発行のための認証に成功し、その後ログインのための認証に成功することにより、物品保管装置１にログインすることができる。
【００８８】
また、この待機状態において、利用者は、物品保管装置１から持ち出した、ある装置カードＡＣを物品保管装置１内に返却することができる。装置カードＡＣをカード管理ユニット２２に返却（収納）するための装置カード収納処理については、具体的に後述する。
次いで、ステップＳ１４以降の処理について説明する。
操作メニュー画面において鍵管理ユニット２１の物品収納部Ｂ１に対応するアイコンが選択操作されると（ステップＳ１４でＹＥＳ）、その後、所定の鍵出入操作が行われることにより、制御部１０５は、鍵管理ユニット２１内に収納されている鍵を持ち出しまたは返却するための鍵出入処理を実行する（ステップＳ１５）。
【００８９】
具体的には、鍵出入処理では、制御部１０５（指示部１０５ｄ）は、鍵管理ユニット２１の扉施錠部２１２を制御して、鍵管理ユニット２１の物品収納部Ｂ１の扉２１５を解錠する。また、制御部１０５は、出し入れ対象の鍵ホルダを施解錠する施解錠部（図示しない）を制御して、当該鍵ホルダを解錠させる。なお、鍵の出し入れ後には、所定の終了操作が行われることにより、制御部１０５は扉施錠部２１２を制御して物品収納部Ｂ１の扉２１５を施錠するとともに、出し入れ対象の鍵ホルダを施錠する。これにより、鍵出入処理が終了する。
【００９０】
また、操作メニュー画面において通帳管理ユニット２３の物品収納部Ｂ１０，Ｂ１１に対応するアイコンが選択操作されると（ステップＳ１６でＹＥＳ）、制御部１０５は、通帳選択操作が行われたか否かを判定する（ステップＳ１７）。
具体的には、物品収納部Ｂ１０，Ｂ１１に対応するアイコンが選択操作されると、表示制御部１０５ｃは、タッチパネルＬＣＤ１０２に通帳選択画面を表示させる。この通帳選択画面は、出し入れの対象になる通帳の種類を、通帳管理ユニット２３の物品収納部Ｂ１０，Ｂ１１に収納するとして設定されている複数種類の通帳の中から選択させるための画面である。そして、この通帳選択画面において出し入れの対象になる一種類の通帳が選択されると、制御部１０５は通帳選択操作が行われたと判定し（ステップＳ１７でＹＥＳ）。次いで、通帳出入処理を実行する（ステップＳ１８）。
【００９１】
具体的には、通帳出入処理では、制御部１０５（指示部１０５ｄ）は、通帳管理ユニット２３の扉施錠部２３１を制御して、出し入れ対象の通帳を収納するための物品収納部Ｂ１０，Ｂ１１の扉２３５を解錠する。なお、通帳の出し入れ後には、所定の終了操作が行われることにより、制御部１０５は扉施錠部２３１を制御して出し入れ対象の物品収納部Ｂ１０，Ｂ１１の扉２３５を施錠する。これにより、通帳出入処理が終了する。
【００９２】
なお、通帳出入処理の終了後は、出し入れ対象の物品収納部Ｂ１０，Ｂ１１において、通帳計数部２３２による通帳の冊数の計数が実行される。この通帳の冊数の計数は、出し入れ対象の物品収納部Ｂ１０，Ｂ１１の出し入れ対象の通帳個別収納領域だけで実行されていてもよいし、出し入れ対象の物品収納部Ｂ１０，Ｂ１１に含まれる全ての通帳個別収納領域で実行されていてもよい。また、出し入れ対象の物品収納部Ｂ１０，Ｂ１１だけでなく、全ての物品収納部Ｂ１０〜Ｂ１２で通帳の冊数が計数されていてもよい。
【００９３】
さらに、物品収納部Ｂ１０，Ｂ１１に収納されている通帳の冊数の計数は、通帳出入処理の終了後だけでなく、初期化処理時、所定時刻、所定時間の経過毎などに実行されるものであってもよい。
また、操作メニュー画面において一般ユニット２４，２５の物品収納部Ｂ３〜Ｂ９に対応するアイコンが選択操作されると（ステップＳ１９でＹＥＳ）、制御部１０５は、物品収納部の選択操作が行われたか否かを判定する（ステップＳ２０）。
【００９４】
具体的には、操作メニュー画面において物品収納部Ｂ３〜Ｂ９に対応するアイコンが選択操作されると、表示制御部１０５ｃは、物品収納部選択画面をタッチパネルＬＣＤ１０２に対して表示させる。この物品収納部選択画面は、出し入れの対象の物品収納部を、一般ユニット２４，２５の物品収納部Ｂ３〜Ｂ９の中から選択させるための画面である。そして、この収納部選択画面において出し入れの対象の物品収納部Ｂ３〜Ｂ９が選択されると（ステップＳ２０でＹＥＳ）、制御部１０５は、その選択された物品収納部Ｂ３〜Ｂ９の物品出入処理を実行する（ステップＳ２２）。
【００９５】
物品出入処理では、制御部１０５（指示部１０５ｄ）は、一般ユニット２４，２５の扉施錠部（図示しない）を制御して、出し入れ対象の物品収納部Ｂ３〜Ｂ９の扉２５５を解錠させる。より具体的には、上段ユニットである一般ユニット２４の物品収納部Ｂ３〜Ｂ６が出し入れ対象である場合には、指示部１０５ｄは、一般ユニット２４のＩ／Ｆ部（図示しない）に対して物品収納部の扉２５５の解錠を指示する。これに対し、下段ユニットである一般ユニット２５の物品収納部Ｂ７〜Ｂ９が出し入れ対象である場合には、指示部１０５ｄは、一般ユニット２５の上部に設置された鍵管理ユニット２１のＩ／Ｆ部２１１経由で物品収納部Ｂ７〜Ｂ９の解錠を指示する。
【００９６】
なお、物品の出し入れ後には、所定の終了操作が行われることにより、制御部１０５は扉施錠部（図示しない）を制御して、出し入れ対象の物品収納部Ｂ３〜Ｂ９の扉２５５を施錠する。これにより、物品出入処理が終了する。
ステップＳ１５の鍵出入処理、ステップＳ１８の通帳出入処理あるいはステップＳ２２の物品出入処理がそれぞれ終了したとき、またはタッチパネルＬＣＤ１０２における操作メニュー画面において、物品収納部Ｂ１，Ｂ３〜Ｂ１２に対応するアイコンに対応するアイコンのいずれも選択操作されていないとき（ステップＳ１９でＮＯ）、制御部１０５はログアウト操作が行われたか否かを判定する（ステップＳ２３）。かかる処理において、ログアウト操作が行われていないとき（ステップＳ２３でＮＯ）、制御部１０５は、ステップＳ１３以降の処理を繰り返す。一方、ログアウト操作が行われたと判定した場合（ステップＳ２３でＹＥＳ）、制御部１０５は、ステップＳ８以降の処理を繰り返す。
【００９７】
なお、物品（鍵、通帳およびその他の物品）の出し入れの際に、出し入れの対象の物品収納部（扉）に対応するアイコンを選択することにより、この物品の出し入れの操作を行うものとして説明した。言い換えれば、出し入れの対象の物品収納部（扉）を選択することにより、出し入れ対象のユニット２１，２３〜２５を指定していた。しかしながら、出し入れの対象の物品を選択することにより、出し入れ対象のユニット２１，２３〜２５を指定するようにすることも可能であるのは言うまでもない。具体的には、物品名が描かれた操作ボタンを操作することにより、物品の出し入れの操作を行うようにしてもよい。
【００９８】
各利用者は退勤時または外出時に、自身に配布された装置カードＡＣを物品保管装置１内に返却する。以下、図１〜図３、図５および図８を参照して、装置カード収納処理について具体的に説明する。
物品保管装置１の待機状態では、タッチパネルＬＣＤ１０２に、図１４の通常待機画面が表示されている。そして、カード返却ボタン２７３が選択操作されると、制御部１０５（指示部１０５ｄ）はカード管理ユニット２２に対して収納指示を通知する。この収納指示に基づいて、駆動制御部２２４ａは、カードを上流側に搬送する方向に第１搬送ローラ３５を回転駆動する。そして、収納対象の装置カードＡＣがカード投入／排出口３１に挿入（投入）されると、装置カードＡＣは、第１搬送ローラ３５の回転駆動によって第１搬送通路３４を上流側に向けて搬送される。そして、装置カードＡＣは、第１搬送通路３４上におけるカードリーダライタ（図示しない）に対向する領域を通過する際に、カードリーダライタによって装置用ＩＤが読み取られる。この装置用ＩＤが制御部１０５（情報取得部１０５ａ）に取得される。そして、制御部１０５は利用者管理テーブル１０４ｂを参照して、装置用ＩＤに対応するカード収納位置を調べる。そして、そのカード収納位置を収納すべきカード個別収納部４６として設定する。
【００９９】
駆動制御部２２４ａは、第１搬送ローラ３５の回転駆動を続行して、回転搬送部３６から受け取った装置カードＡＣを、第１搬送通路３４を上流側に向けてさらに搬送させる。また、駆動制御部２２４ａは回転機構４１を制御して、待機状態以降も鉛直姿勢に位置していた回転搬送部３６を水平姿勢へと回転させる。そして、第１搬送通路３４の上流端まで搬送された装置カードＡＣは、水平姿勢にある回転搬送部３６に引き渡される。
【０１００】
駆動制御部２２４ａは、第２搬送ローラ３９を駆動して、カードデータ処理部３２から受け取った装置カードＡＣを、第２搬送通路３８を上流側に向けて搬送する。また、駆動制御部２２４ａは、回転機構４１を駆動して回転搬送部３６を鉛直姿勢まで回転させる。そして、鉛直姿勢にある回転搬送部３６から、待機状態以降も原点位置にある移動搬送部５１に装置カードＡＣが引き渡される。
【０１０１】
回転搬送部３６から装置カードＡＣを受け取った後、駆動制御部２２４ａは第３搬送ローラ３５を駆動して、受け取った装置カードＡＣを、第３搬送通路５３を上流側に向けて搬送する。また、駆動制御部２２４ａは前記移動機構を駆動して、移動搬送部５１を、当該装置カードＡＣを収納すべきカード個別収納部４６との間で装置カードＡＣの受け渡しが可能な位置まで移動させる。そして、当該カード個別収納部４６に装置カードＡＣが引き渡されて、その内部に収納（装填）される。
【０１０２】
物品保管装置１では、物品保管装置１に登録されている利用者全員の装置カードＡＣが返却されると、その後、自動的にシャットダウン（自動シャットダウン）される。図１６は、物品保管装置１で実行される自動シャットダウン処理の流れを示すフローチャートである。
起動後の物品保管装置１では、ある装置カードＡＣが一旦発行された後は、利用者全員の装置カードＡＣが返却済みになるか否かが監視されている。具体的には、制御部１０５は前述の装置カード収納処理が終了する毎に利用者管理テーブル１０４ｂを参照し、利用者全員の装置カードＡＣが返却済みの状態であるか否か、すなわち、利用者に対応するカード個別収納部４６のカード有無フラグの値が全て「１」であるか否かを調べる（ステップＳ５１，Ｓ５２）。全ての装置カードＡＣが返却済みである場合には（ステップＳ５２でＹＥＳ）、制御部１０５は、シャットダウン処理を実行する（ステップＳ５３）。
【０１０３】
また、起動後の物品保管装置１において、利用者全員の装置カードＡＣが返却済みになるか否かが常時監視されていてもよい。この場合、たとえば所定の時刻（たとえば１５時０分）以降であり、かつ全ての装置カードＡＣが返却済みである場合に、制御部１０５がシャットダウン処理を実行してもよい。
以上により、この実施形態によれば、物品保管装置１にログインするために用いられる装置カードＡＣを収納するためのカード管理ユニット２２が、物品保管装置１内に設けられている。そして、使用していない装置カードＡＣをカード管理ユニット２２に収納することにより、装置カードＡＣを物品保管装置１内で安全に保管することができる。利用者が装置カードＡＣを物品保管装置１外で保管する必要がないから、利用者の心理的負担を解消することができる。
【０１０４】
また、従業員カードＥＣを用いた操作によって、カード管理ユニット２２から装置カードＡＣを発行させることができる。そして、カード管理ユニット２２から発行された装置カードＡＣを用いた操作によって、物品保管装置１にログインすることができる。したがって、物品保管装置１にログインするために２回の操作が必要になり、しかも、各操作で必要なカードが異なるので、物品保管装置１のセキュリティをより一層高めることができる。
【０１０５】
以上、この発明の一実施形態について説明したが、この発明は他の形態でも実施することができる。
たとえば、物品保管装置１を、利用者の勤怠管理（出退勤管理）と連動させることも可能である。具体的には、図１に二点鎖線で示すように、物品保管装置１には、オフィス内に設置された出退管理機３０が通信可能に接続されている。出退管理機３０は、たとえばオフィスのドアの周囲に設置されたリーダを備えており、オフィス内で勤務する利用者の出勤／退勤の有無や出退時間などの出退勤情報を管理している。オフィスへの出勤時／退勤時に利用者が自己の従業員カードＥＣなどをリーダに通すことにより、出退管理機３０はその利用者の出退勤情報を管理する。また、出退管理機３０は、物品保管装置１に、当該物品保管装置１に登録されている利用者の出退勤情報を常時送信している。
【０１０６】
図５に二点鎖線で示すように、利用者管理テーブル１０４ｂには、物品保管装置１に登録済みの利用者の装置用ＩＤに対応して、当該利用者の出勤の有無を示す出退フラグの値が格納されている。
物品保管装置１は、出退管理機３０から受信した、利用者の出退勤情報に基づいて、利用者管理テーブル１０４ｂの出退フラグに「０」または「１」の値を格納する。出退管理機３０が「出勤」状態と管理している利用者、すなわちオフィスに出勤している利用者に対応する出退フラグには「１」が格納され、また、出退管理機３０が「退勤」状態と管理している利用者、すなわちオフィスに未出勤している利用者に対応する出退フラグには「０」が格納される。なお、出退フラグに格納される値は、「０」や「１」に限られず、他の値が用いられてもよいのは言うまでもない。
【０１０７】
この場合、現在出勤している利用者に対応する装置カードＡＣのみ、カード管理ユニット２２からの発行が許容されていてもよい。具体的には、装置カード発行操作があった場合、装置カード発行処理に先立って利用者管理テーブル１０４ｂが参照され、装置カード発行操作を行った利用者に対応する出退フラグの値が「１」であるときは、その後装置カード発行処理が実行され、当該出退フラグの値が「０」であるときは、装置カード発行処理の実行が禁止されるようになっていてもよい。
【０１０８】
言い換えれば、オフィスに未出勤の利用者に関連付けられた（対応付けられた）装置カードＡＣの発行は禁止され、出勤済みの利用者に関連付けられた（対応付けられた）装置カードＡＣの発行は許容される。すなわち、物品保管装置１にログインするために用いられる可能性のある装置カードＡＣを除いて、装置カードＡＣの発行が禁止される。これにより、利用者の使い勝手を阻害することなく、より安全に装置カードＡＣを保管することができる。
【０１０９】
また、この場合において、出退管理機３０が管理するある利用者が、「出勤」状態から「退勤」状態になったのに対し、当該利用者に対応するカード個別収納部４６に装置カードＡＣが未収納であるとき、より具体的には、利用者管理テーブル１０４ｂのある利用者に対応する出退フラグの値が「１」から「０」に切り換わったのにも拘らず、当該利用者に対応するカード有無フラグの値が依然として「０」のままであるとき、利用者が装置カードＡＣを物品保管装置１に返却（収納）しないまま退勤しようとしているとして、物品保管装置がたとえばアラーム音の出力などの報知を行うようにしてもよい。なお、このような報知は出退管理機３０により実行されてもよい。
【０１１０】
また、前述の実施形態では、装置カード発行のための認証およびログインのための認証の双方で、カードＩＤ（従業員用ＩＤ、装置用ＩＤ）を用いた認証（以下、単に「ＩＤ認証」という。）と、パスワード（従業員パスワード、装置パスワード）を用いた認証（以下、単に「パスワード認証」という。）という２種類の認証が実行されていた。すなわち、装置カード発行のための認証と、ログインのための認証とでは、その種類および回数が同じ（認証の態様が同じ）であった。
【０１１１】
しかしながら、装置カード発行のための認証とログインのための認証とで、その内容（認証の態様）が異ならされていてもよい。たとえば、装置カード発行のための認証では前述の実施形態と同様に、カード認証とパスワード認証との２つの認証が行われているが、ログインのための認証では、カード認証のみが行われていてもよい。
逆に、ログインのための認証ではカード認証とパスワード認証との２つの認証が行われているが、装置カード発行のための認証では、パスワード認証のみが行われていてもよい。また、これに代えて、装置カード発行のための認証で、カード認証のみが行われていてもよい。
【０１１２】
さらには、装置カード発行のための認証ではパスワード認証のみが行われ、ログインのための認証ではカード認証のみが行われていてもよい。
また、装置カード発行のための認証と、ログインのための認証との内容（認証の態様）が同じであってもよい。具体的には、装置カード発行のための認証とログインのための認証との双方で、カード認証のみが行われていてもよい。
【０１１３】
前述したように、通帳管理ユニット２３では、物品収納部Ｂ１０，Ｂ１１に収納されている通帳の冊数を計数する。この通帳管理ユニット２３は、通帳の冊数だけに止まらず、通帳の異常の有無等をも含めた通常の状態を精査することができる（自動精査機能）。この自動精査機能は、通帳管理ユニット２３の通帳計数部２３２および通帳精査部２３３によって実現される。以下、通帳計数部２３２および通帳精査部２３３について説明する。
【０１１４】
図１７は、通帳計数部２３２の構成を模式的に示す図である。図１７（Ａ）および図１７（Ｂ）では、通帳計数部２３２の内部をＹ方向から見た図を図１７（Ａ）に、通帳計数部２３２の内部をＺ方向の反対方向から見た図を図１７（Ｂ）に示している。なお、図１７（Ａ）および図１７（Ｂ）は、通帳計数部２３２の特徴部分を中心に示しており、その他の部分は適宜省略している。
【０１１５】
図１７（Ａ）および図１７（Ｂ）を参照して、通帳計数部２３２は、計数対象になる通帳を積層状態で収納するための収納部４２０と、収納部４２０に収納されている通帳の背を検出するための主センサ４１１ａおよび副センサ４１１ｂとを備えている。
収納部４２０は、開口を有する箱状に形成されている。収納部４２０の内部は仕切り板４３０によって複数の収納領域に仕切られている。各収納領域は、複数冊の通帳を積層状態で収納可能である。通帳の積層方向に沿う方向を、図１７（Ａ）および図１７（Ｂ）に示すＸ方向（以下、単に「Ｘ方向」と言う。）とする。通帳は、その背を図１７（Ｂ）に示す所定のＹ方向（開口側。以下、単に「Ｙ方向」と言う。）を向けるとともに、その前小口（背の反対側）がＹ方向と反対方向を向いた姿勢で、収納部４２０に収納される。このＹ方向は、Ｘ方向と直交する所定の一方向である。なお、仕切り板４３０は収納部４２０に固定的に取り付けられている。
【０１１６】
そして、収納部４２０の各収納領域は、当該収納領域に収納されている通帳を押さえるための押さえ板４４０を備えている。押さえ板４４０はＸ方向に沿って移動可能に設けられており、計数の際には、収納領域に収納されている複数冊の通帳をＸ方向に向けて押し付ける。その結果、通帳に余計な膨らみがなくなり、各通帳の厚みが一様になる。押さえ板４４０の可動範囲は図１７（Ｂ）に示す可動範囲ｍである。
【０１１７】
一対のセンサ４１１ａ，４１１ｂは、投光部（後述する）および受光部（後述する）が収納部４２０に収納される通帳の背に対向する姿勢で、センサホルダ４７０によって保持されている。具体的には、一対のセンサ４１１ａ，４１１ｂは、センサ４１１ａ，４１１ｂ同士を結ぶ線分が図１７（Ａ）および図１７（Ｂ）に示すＺ方向（以下、単に「Ｚ方向」と言う。）に沿うように、センサホルダ４７０のセンサ基板（図示しない）に並置されている。センサホルダ４７０およびセンサ４１１ａ，４１１ｂは、Ｘ方向に沿って移動可能に設けられている。センサ４１１ａ，４１１ｂの可動範囲は可動範囲ｓである。また、Ｙ方向から見たときのセンサ４１１ａ，４１１ｂの走査範囲はセンサ通過範囲ｆである。なお、いずれのセンサ４１１ａ，４１１ｂを主センサとして取り扱うのかは予め設定可能であり、また適宜変更可能とする。
【０１１８】
なお、Ｘ方向、Ｙ方向、Ｚ方向は互いに直交する方向である。すなわち、Ｘ方向がＹ方向およびＺ方向の双方と直交しており、かつＹ方向がＸ方向およびＺ方向の双方と直交している。
また、各センサ４１１ａ，４１１ｂはいわゆる反射型の光学センサであり、投光部（図示しない）および受光部（図示しない）を備えている。各投光部は、計数対象である通帳に向けて光を投射する。また、各受光部は、通帳によって反射する光を検出する（図１７（Ｂ）に示す折れ矢印７００参照）。また、センサ４１１ａ，４１１ｂによる検出動作に併せて、各センサ４１１ａ，４１１ｂはセンサ通過範囲ｆ内をＺ方向に沿って走査する。
【０１１９】
また、両センサ４１１ａ，４１１ｂの焦点距離は異なっている。すなわち、センサ４１１ａの焦点距離がｄ１なのに対し、センサ４１１ｂの焦点距離はｄ２である（ｄ１＞ｄ２）。これにより、検出値が両センサ４１１ａ，４１１ｂ間で異なるようになる。
また、仕切り板４３０および押さえ板４４０は、Ｚ方向に沿って延びる樹脂ブロック４５０をそれぞれ備えている。このような樹脂ブロック４５０は、主センサ４１１ａおよび副センサ４１１ｂの検出結果から計数対象範囲を切り出す際における切り出し位置の指標の特定のために設けられている。したがって、樹脂ブロック４５０は、２つのセンサ４１１ａ，４１１ｂの検出結果において特定が可能なように、次に述べる２つの特徴を有している。
【０１２０】
１つ目の特徴は、樹脂ブロック４５０をＺ方向に直交する面で切断した断面形状が、直角を頂点とする直角三角形となっており、また、かかる頂点が丸みを帯びたいわゆるＲ形状になっている点である。したがって、主センサ４１１ａおよび／または副センサ４１１ｂに傾き誤差が存在する場合であっても、その傾きを含んだ上での検出結果を得ることができる。
【０１２１】
また、前述した断面形状の傾斜によって、主センサ４１１ａおよび副センサ４１１ｂの受光素子が反射光を受けにくくなるため、樹脂ブロック４５０の頂点の反射光のみを特定し易くすることができる。なお、図１７（Ｂ）の拡大図ｇには、樹脂ブロック４５０の頂点が半径３ｍｍのＲ形状である場合を示しているが、検証試験などを通じて、樹脂ブロック４５０の位置特定に適正な検出結果が得られる形状とすればよい。
【０１２２】
また、２つ目の特徴は、樹脂ブロック４５０は反射率の高い白色を基調としつつ、透過率の低い素材で構成されている点である。このため、樹脂ブロック４５０は、主センサ４１１ａおよび副センサ４１１ｂの検出結果において高い出力値を示すことが期待できるので、樹脂ブロック４５０の位置を特定し易くすることができる。なお、樹脂ブロック４５０が樹脂製であるとして説明したが、その材料は樹脂に限定されず、反射率が高くて透過率の低いものであればよい。
【０１２３】
また、仕切り板４３０および押さえ板４４０は、それぞれ、センサ通過範囲ｆ内の所定箇所に切り欠き４６０を有している。このような切り欠き４６０は、主センサ４１１ａおよび副センサ４１１ｂの検出結果の各々から計数対象範囲を切り出す際に、樹脂ブロック４５０の位置を切り出し位置の指標として特定し易くするためのものである。具体的には、切り欠き４６０は反射率の低い黒色を基調としており、そのため、反射率の高い樹脂ブロック４５０の位置を検出結果の上で明確化する役割を果たす。
【０１２４】
また、切り欠き４６０は、樹脂ブロック４５０の頂点から、通帳と接触する樹脂ブロック４５０端面までの最短距離ｉの位置に存在している。これにより、樹脂ブロック４５０と通帳との間に確実に検出結果の差異をつけることができる。
図１８は、通帳精査部２３３の電気的構成を示すブロック図である。図１８では、通帳精査部２３３の特徴を説明するために必要な構成のみを示しており、その他の構成は適宜省略している。
【０１２５】
通帳精査部２３３は、前述のように、計数制御部２３３ａと、記憶部２３３ｂと、情報通知部２３３ｃとを備えている。また、通帳精査部２３３はセンサ部４１１をさらに含む。
計数制御部２３３ａは、センサ部４１１から入力した信号に基づいて通帳の部数の計数を行い、その計数結果を検証および判定して情報通知部２３３ｃに対して通知する処理を行う。
【０１２６】
また、計数制御部２３３ａは、計数結果の判定内容によってはセンサ４１１ａ，４１１ｂの切替を行い、他方のセンサから得た出力による再計数処理の制御などを行う。計数制御部２３３ａは、波形抽出部２３４ａと、凹凸計数部２３４ｂと、検証部２３４ｃと、計数結果判定部２３４ｄと、切替部２３４ｅとを含む。
記憶部２３３ｂは、ハードディスクドライブや不揮発性メモリといった記憶デバイスで構成される記憶部であり、抽出変数群２３５ａと、閾値情報２３５ｂと、計数情報２３５ｃとを記憶する。
【０１２７】
情報通知部２３３ｃは、計数結果判定部２３４ｄからの計数値や、正常終了や異常終了といった終了ステータスなどの計数結果通知を受け取る処理部である。また、情報通知部２３３ｃは、計数結果判定部２３４ｄからの計数結果通知を操作制御ユニット１０に対して出力する。
センサ部４１１は、センサ４１１ａ，４１１ｂ（図１７参照）からの出力信号を受け取り、波形抽出部２３４ａに対して通知する入力デバイスである。また、センサ部４１１は、センサ４１１ａ，４１１ｂ毎に個別に設けられている。したがって、通帳計数部２３２にセンサ４１１ａ，４１１ｂが複数設けられている場合には、複数のセンサ部４１１が互いに独立して計数処理を実行する。
【０１２８】
次いで、計数制御部２３３ａの波形抽出部２３４ａ、凹凸計数部２３４ｂ、検証部２３４ｃ、計数結果判定部２３４ｄ、および切替部２３４ｅについて、順に説明する。
図１９は、波形抽出部２３４ａにおける処理を説明するための図である。なお、図１９（Ａ）に波形データの抽出を説明する図を示し、図１９（Ｂ）は、波形データの平滑化を説明するための図を示している。また、図１９（Ｃ）は、波形データの切り出しを説明する図を示している。
【０１２９】
以下、図１８、図１９（Ａ）、図１９（Ｂ）および図１９（Ｃ）を参照しつつ、波形抽出部２３４ａについて説明する。波形抽出部２３４ａは、センサ部４１１から入力した信号に基づいて計数可能な形のデータヘ加工する処理を行う。また、加工したデータを凹凸計数部２３４ｂに対して通知する。
図１９（Ａ）に示すように、波形抽出部２３４ａは、センサ部４１１から入力した信号を波形データとしてサンプリングする。この際、波形抽出部２３４ａは、記憶部２３３ｂの抽出変数群２３５ａに予め格納されているサンプリング間隔値を参照して処理を行う。なお、図１９（Ａ）に示すサンプリング範囲ｔは、１冊の通帳、すなわち計数単位を表している。
【０１３０】
また、波形抽出部２３４ａは、図１９（Ａ）に示す波形データに基づき、波形データを平滑化する処理を行う（図１９（Ｂ）参照）。この平滑化のための処理は、各サンプリングポイントと前後のサンプリングポイントとの平均値を新たなサンプリングポイントとするもので、波形データの細かい変化を逓減させてノイズ成分を抑える効果を得ることができる。
【０１３１】
なお、波形抽出部２３４ａは、記憶部２３３ｂの抽出変数群２３５ａに予め格納されている平滑化変数を参照して処理を行う。図１９（Ｂ）に示す「平滑化（３）」とは、３つのサンプリングポイント平均値であることを表しており、この場合の平滑化変数は３である。
また、波形抽出部２３４ａは、図１９（Ｂ）に示す平滑化後の波形データから、図１９（Ｃ）に示す計数対象範囲を切り出す処理を行う。この際、波形抽出部２３４ａは、記憶部２３３ｂの抽出変数群２３５ａに予め格納されている樹脂ブロック位置特定情報を参照して処理を行う。かかる樹脂ブロック位置特定情報は、図１７に示す樹脂ブロック４５０の位置を特定するための最短距離ｉなどを含む。なお、図１９（Ｃ）に示すＢ１およびＢ２は、樹脂ブロック４５０の頂点を表している。
【０１３２】
次に、凹凸計数部２３４ｂについて説明する。図１８に示すように、凹凸計数部２３４ｂは、波形抽出部２３４ａが加工したデータに基づいて通帳を計数する。具体的には、凹凸計数部２３４ｂは、計数対象範囲全ての凹凸部を検出して、１つの凸部を挟んで隣り合う凹部から凹部の間を計数単位とし、かかる計数単位の計数を行う。
この際、凹凸計数部２３４ｂは、記憶部２３３ｂの閾値情報２３５ｂとして予め格納されている電圧閾値（各凹凸部を検出するための電圧閾値）を参照して処理を行う。また、凹凸計数部２３４ｂは、検出した全ての凹凸部と計数単位の計数値とを、検証部２３４ｃに対して通知する処理を行う。
【０１３３】
また、凹凸計数部２３４ｂは、切替部２３４ｅからの再計数指示を受け取り、新たに計数対象となった４１１ａ，４１１ｂのデータに基づいて通帳を計数する処理を行う。なお、センサ部４１１と、波形抽出部２３４ａと、凹凸計数部２３４ｂとで各センサ４１１ａ，４１１ｂに対応する計数手段を構成する。
次に、検証部２３４ｃについて説明する。
【０１３４】
検証部２３４ｃは、凹凸計数部２３４ｂが検出した全ての凹凸部に基づいてデータを検証する処理を行う。具体的には、検証部２３４ｃは、天地判定処理、凹部判定処理および幅検証処理を実行する。また、検証部２３４ｃは、このようなデータの検証結果と凹凸計数部２３４ｂから受け取った計数値とを、計数結果判定部２３４ｄに対して通知する。
図２０は、検証部２３４ｃによって実行される天地判定処理を説明するための図である。図２１は、検証部２３４ｃによって実行される凹部判定処理を説明するための図である。図２２および図２３は、検証部２３４ｃによって実行される幅検証処理を説明するための図である。
【０１３５】
検証部２３４ｃは、凹凸計数部２３４ｂが検出した全ての凸部を処理対象として通帳の天地判定処理を行う。ここにいう通帳の天地とは、図１７に示すＹ方向を天とし、Ｙ方向と反対方向を地としている。すなわち、天地判定処理では、通帳の前小口（背の反対側）が天へ向いて収納されている通帳が計数対象範囲の中に存在するか否か、つまりいわゆる逆向きに収納されている通帳が存在するか否かを判定している。
【０１３６】
図２０に示すように、４１１ａ，４１１ｂの検出結果においては、通帳の収納状態の差異は所定の区間のサンプリングポイント数の差異として表れてくる。たとえば、図２０に示す１冊正常の場合のＨ１区間のサンプリングポイント数は４個、１冊逆の場合のＨ２区間は６個、２冊逆の場合のＨ３区間は１２個である。したがって、所定のサンプジングポイント数を閾値とすれば（閾値として設定されたサンプジングポイント数を、以下、天地判定用閾値と言う。）、天地逆向きで収納された通帳の検出が可能となる。
【０１３７】
そして、通帳が天地逆向きで収納されていた場合でも、図２０に示す１冊逆の場合のように、適正に凹部が検出されていれば、計数単位として計数を行うことが可能である。しかしながら、図２０に示す２冊逆の場合の枠Ｐのように、適正に凹部が検出されていなければ、計数単位として計数を行うことができない。
そこで、天地判定処理では検証部２３４ｃは、通帳が２冊以上連続して天地逆向きであるために計数不能である場合を、天地判定用閾値に基づいて天地判定する処理が行われる。以下に、天地判定処理の手順を説明する。
【０１３８】
まず、検証部２３４ｃは、前小口（背の反対側）を天に向けて収納された通帳を検出するため、所定の電圧値以上の凸部を検索する。通常、通帳の前小口は白色であるため、センサ４１１ａ，４１１ｂの光を受けた際の反射率が高くなり、所定の電圧値以上の出力値を示すからである。ここで、所定の電圧値は、図２０のｈで示す値であり、記憶部２３３ｂの閾値情報２３５ｂに格納されている。
【０１３９】
次いで、検証部２３４ｃは、サンプリングポイントを計数する区間を区切るため、検出した凸部の電圧値から境界電圧を算出する。ここで、境界電圧は図２０に示すｂであり、予め記憶部２３３ｂに閾値情報２３５ｂとして格納された所定の比率に基づいて算出される。
そして、検証部２３４ｃは、図２０に示す境界電圧ｂによって区切られた区間（図２０の区間Ｈ１、区間Ｈ２および区間Ｈ３を参照）のサンプリングポイントの計数を行う。そして、検証部２３４ｃは、計数したサンプリングポイント数と天地判定用閾値とを比較して、天地逆向きの通帳が２冊以上連続しているか否かの判定を行う。その結果、２冊以上連続していれば天地判定異常とされる。この天地判定用閾値は、記憶部２３３ｂに閾値情報２３５ｂとして格納されている。この天地判定用閾値は、後述する通帳厚み計測処理の計測結果に基づいて自動的に設定される。
【０１４０】
次に、図２１を参照して、検証部２３４ｃによって実行される凹部検証処理を説明する。図２１（Ａ）は、凹部検証処理における正常なパターンの例を示し、図２１（Ｂ）は、凹部検証処理における異常なパターンの例を示している。
ここで、たとえば黒色や青色といった、センサ４１１ａ，４１１ｂの光が照射された際の反射率が低い暗色の通帳が計数対象である場合に、図２１（Ａ）に示す正常なパターンでは、図２１（Ａ）に示す点γである凸部と両隣に位置する２つの凹部とを、凹凸計数部２３４ｂが適正に検出している。これに対し、図２１（Ｂ）に示す異常なパターンでは、同国に示した点γ周辺の凸部と右隣の凹部とを、凹凸計数部２３４ｂが適正に検出できていない。
【０１４１】
したがって、図２１（Ｂ）に示す異常なパターンでは、図２１（Ｂ）に示す区間Ｈ１および区間Ｈ２をそれぞれ計数単位としてしまうため、同図に示した例では通帳が３冊と計数されるべきところを２冊と計数してしまい、正確な計数結果が得られなくなる。
かかる正常なパターンと異常なパターンとの差異は、図２１（Ａ）および図２１（Ｂ）に示す点α、点βおよび点γである各凸部の区間Ｔ１、区間Ｔ２のサンプリング間隔数の差異として表れてくる。したがって、所定のサンプリング間隔数を閾値とすれば（閾値として設定されたサンプリング間隔数を、以下、凹部検証用閾値と言う。）、正常なパターンと異常なパターンとの判別が可能になる。
【０１４２】
そこで、検証部２３４は、黒色や青色といった暗色の通帳が計数対象としてある場合に、正常なパターンと異常なパターンとの判別を、凹部検証用閾値との比較に基づいて行う。以下に、凹部検証処理の手順を説明する。
まず、凹部検証処理では検証部２３４は、所定の電圧値以下の凹部を検索する。通常、通帳が黒色や青色といった暗色である場合、センサ４１１ａ，４１１ｂの光を受けた際の反射率が低くなり、所定の電圧値以下の出力値を示すからである。ここで、所定の電圧値は、図２１（Ａ）および図２１（Ｂ）にｂで示す値であり、記憶部２３３ｂの閾値情報２３５ｂとして格納されている。
【０１４３】
次いで、検証部２３４ｃは、検出した凹部の両隣に位置する２つの凸部間を、サンプリング間隔を計数する区間として区切り（図２１（Ａ）および図２１（Ｂ）に示す区間Ｔ１、区間Ｔ２参照）、サンプリング間隔の計数を行う。そして、計数したサンプリング間隔数と凹部検証用閾値とを比較して、正常なパターンと異常なパターンとの判別を行い、異常なパターンと判別すれば凹部検証異常とする。この凹部検証用閾値は、記憶部２３３ｂに閾値情報２３５ｂとして格納されている。この凹部検証用閾値は、後述する通帳厚み計測処理の計測結果に基づいて自動的に設定される。
【０１４４】
次に、図２２および２３を参照して、検証部２３４ｃによって実行される幅検証処理を説明する。図２３（Ａ）は幅検証処理における正常なパターンの例を示し、図２３（Ｂ）は幅検証処理における異常なパターンの例を示している。
検証部２３４ｃは、凹凸計数部２３４ｂが検出した全ての凹凸部を処理対象として幅検証処理を行う。ここにいう幅検証とは、通帳精査部２３３の対応規格外である幅を有する通帳の存否を判定することを指す。そこで、幅検証処理において、検証部２３４ｃは、全ての凹凸部から計数単位当りのセンサ通過時間を検証して、適正でない幅を有する通帳の存否を判定する処理を行う。
【０１４５】
まず、検証部２３４ｃは、凹凸計数部２３４ｂが検出した全ての凹凸部を処理対象として、１つの凸部を挟んで隣り合う凹部から凹部の間、すなわち計数単位当りのサンプリング間隔の計数を、全ての計数単位に対して行う。図２２に示すｔｎは、このような計数単位当りのサンプリング間隔数を表している。
次いで、検証部２３４ｃは、前述した計数単位当りのサンプリング間隔数の分布を求める（図２３（Ａ）および図２３（Ｂ）参照）。ここで、サンプリング間隔数とはセンサ通過時間と同義であるため、かかる分布は計数単位当りのセンサ通過時間範囲を表すことになる。
【０１４６】
そして、検証部２３４ｃは、計数単位当りのセンサ通過時間範囲が所定の範囲内にあるか否かを判定する。ここに言う所定の範囲とは、通帳精査部２３３が対応する通帳幅をセンサ通過時間に換算した上限値および下限値の範囲である。以下、この所定の範囲を、以下、幅検証用範囲と言う。この幅検証用範囲は、記憶部２３３ｂに閾値情報２３５ｂとして格納されている。幅検証用範囲（の上限値および下限値）は、後述する通帳厚み計測処理の計測結果に基づいて自動的に設定される。
【０１４７】
ここで、図２３（Ａ）に示すような正常なパターンでは、全ての計数単位が幅検証用範囲内（すなわち、センサ通過時間の上限値（図２３（Ａ）に示すＬ２）および下限値（図２３（Ａ）に示すＬ１）の範囲内）に存在するため、検証部２３４ｃは、全ての通帳幅が適正であると判定する。
また、図２３（Ｂ）に示すような異常なパターンでは、幅検証用範囲外（すなわち、センサ通過時間の上限値（図２３（Ｂ）に示すＬ２）および下限値（図２３（Ｂ）に示すＬ１）の範囲外）にも計数単位が存在するため（図２３（Ｂ）に示す枠Ｏ参照）、検証部２３４ｃは、適正でない幅を有する通帳が存在すると判定する。
【０１４８】
次いで、図１８を再び参照して、計数結果判定部２３４ｄについて説明する。計数結果判定部２３４ｄは、検証部２３４ｃから受け取ったデータの検証結果に基づき、計数結果を判定する処理を行う。
また、計数結果判定部２３４ｄは、このような計数結果の判定に基づき、情報通知部２３３ｃに対して処理結果を通知する処理を行う。さらに、計数結果判定部２３４ｄは、このような計数結果の判定に基づき、切替部２３４ｅに対してセンサ４１１ａ，４１１ｂの出力についての切替指示を通知する処理を行う。
【０１４９】
具体的には、計数結果判定部２３４ｄは、検証部２３４ｃの検証結果から天地判定処理が正常であるか否かを判定する。そして、検証部２３４ｃの天地判定処理が正常でない場合、通帳のセット状態が異常である旨を情報通知部２３３ｃに対して通知して、センサ４１１ａ，４１１ｂの出力の切り替えによる再計数を行わずに処理を終了する。なぜなら天地逆向きの通帳による検証異常の場合には、センサ４１１ａ，４１１ｂの出力を切り替えて再計数を行っても、再度検証部２３４ｃの天地判定処理で異常となる可能性が高いためである。
【０１５０】
また、計数結果判定部２３４ｄは、検証部２３４ｃの天地判定処理が正常である場合、検証部２３４ｃの凹部検証処理または幅検証処理が正常であるか否かを判定する処理を行う。そして、いずれかの処理が異常である場合、計数結果判定部２３４ｄは、センサ４１１ａ，４１１ｂの出力を切り替えるべく切替部２３４ｅに対して、センサ４１１ａ，４１１ｂの出力についての切替指示を通知する。
【０１５１】
そして、計数結果判定部２３４ｄは、検証部２３４ｃの全ての検証結果が正常である場合、検証部２３４ｃから受け取った計数値を、記憶部２３３ｂの計数情報２３５ｃに登録する処理を行う。また、計数結果判定部２３４ｄは、その計数値を情報通知部２３３ｃに対して通知する処理も併せて行う。
切替部２３４ｅは、計数結果判定部２３４ｄから受け取ったセンサ４１１ａ，４１１ｂの出力についての切替指示に基づき、これまで計数対象としたデータを別のセンサが出力したデータヘと切り替える処理を行う。また、切替部２３４ｅは、凹凸計数部２３４ｂに対して再計数の指示を通知する処理を行う。
【０１５２】
次に、記憶部２３３ｂに記憶される抽出変数群２３５ａ、閾値情報２３５ｂおよび計数情報２３５ｃについて説明する。
抽出変数群２３５ａは、センサ部４１１の出力値を計数可能なデータヘ加工する際に必要となるパラメータ群であり、波形抽出部２３４ａによって参照される。具体的には、センサ部４１１の出力値を波形データとして抽出するためのサンプリング間隔値と、抽出した波形データを平滑化するための平滑化変数と、波形データの切り出し範囲を特定するための樹脂ブロック位置特定情報とを含む。
【０１５３】
閾値情報２３５ｂは、波形抽出部２３４ａが抽出した計数対象範囲の波形データを計数もしくは検証する際に必要となる閾値や範囲（上限および下限）に関する情報である。閾値情報２３５ｂは、凹凸計数部２３４ｂおよび検証部２３４ｃによって参照される。
具体的には、閾値情報２３５ｂは、波形データの各凹凸部を検出するための電圧閾値と、境界電圧を算出するための所定の比率と、前述の天地判定用閾値と、前述の凹部検証用閾値と、前述の幅検証用範囲と含む。天地判定用閾値、凹部検証用閾値、および幅検証用範囲（の上限値および下限値）は、後述する通帳厚み計測処理の計測結果に基づいて自動的に設定される。また、境界電圧を算出するための所定の比率や、凹凸部を検出するための電圧閾値は、検証試験などを経て好適な値が設定される。
【０１５４】
計数情報２３５ｃは、計数対象である通帳の冊数の計数値であり、計数結果判定部２３４ｄによって登録される。
図２４は、通帳精査部２３３により実行される通帳計数処理の流れを示すフローチャートである。この図２４では、センサ機構が一方向のみ（たとえば図１７に示すＸ方向へのみ）走査した場合の処理の流れを示しているが、実際には、往路復路の二方向分が連続して実行される。
【０１５５】
図２４に示すように、通帳精査部２３３はセンサ部４１１の出力値を波形データとして抽出する（ステップＳ１０１)。そして、通帳精査部２３３はセンサ部４１１から得た波形データを平滑化した後（ステップＳ１０２)、計数対象とする範囲の切り出しを行う（ステップＳ１０３)。
そして、センサ４１１ａ，４１１ｂのうちの１つを主センサとし、主センサ以外のセンサを副センサとして、主センサから得た波形データを計数対象とする（ステップＳ１０４)。そして、計数対象とした波形データのすべての凹部および凸部を検出して、１つの凸部を挟んで隣り合う凹部から凹部を計数単位とし、計数を行う（ステップＳ１０５）。
【０１５６】
次いで、通帳精査部２３３は天地判定処理を実行する（ステップＳ１０６)。そして、ステップＳ１０６の結果が正常であるか否かの判定を行う（ステップＳ１０７)。
ステップＳ１０７の判定条件を満たさなかった場合には（ステップＳ１０７でＮＯ）、通帳精査部２３３は、通帳のセット異常である旨を計数結果判定部２３４ｄに対して通知した後（ステップＳ１０８）、処理を終了する。
【０１５７】
次いで、通帳精査部２３３は凹部検証処理を実行する（ステップＳ１０９)。そして、ステップＳ１０９の結果か正常であるか否かの判定を行う（ステップＳ１１０）。
そして、凹部検証処理の結果が正常であると判定された場合（ステップＳ１１０でＹＥＳ）、通帳精査部２３３は幅検証処理を実行する（ステップＳ１１１）。そして、ステップＳ１０９の結果が正常であるか否かの判定を行う（ステップＳ１１２）。
【０１５８】
そして、幅検証処理の結果が正常であると判定された場合（ステップＳ１１２でＹＥＳ）、通帳精査部２３３は、検証後の計数結果を計数結果判定部２３４ｄに対して通知した後（ステップＳ１１３）、処理を終了する。
また、ステップＳ１１０の判定条件を満たさなかった場合（ステップＳ１１０でＮＯ）あるいはステップＳ１１２の判定条件を満たさなかった場合（ステップＳ１１２でＮＯ）には、通帳精査部２３３は主センサが現在の計数対象であるか否かを判定する（ステップＳ１１４）。
【０１５９】
ここで、ステップＳ１１４の判定条件を満たした場合には（ステップＳ１１４でＹＥＳ）、通帳精査部２３３は、計数対象とする主センサから得た出力を副センサから得た出力に切り替えて（ステップＳ１１５）、ステップＳ１０５以降の処理を繰り返す。
また、ステップＳ１１４の判定条件を満たさなかった場合には（ステップＳ１１４でＮＯ）、通帳精査部２３３は、通帳のセット異常である旨を計数結果判定部２３４ｄに対して通知した後（ステップＳ１１６）、処理を終了する。
【０１６０】
通帳精査部２３３はこのような計数処理を、往路復路分の２回実行する。そして、往路復路それぞれの計数値が一致した場合には、正常終了として計数値を出力する処理を行う。また、いずれかの計数処理における天地判定処理の異常があった場合には、異常終了として処理を終了する。
図２５は、タッチパネルＬＣＤ１０２に表示される扉設定画面の一例を示す図である。
【０１６１】
タッチパネルＬＣＤ１０２に表示される操作メニュー画面において所定の係員メニューボタンが操作されることにより、タッチパネルＬＣＤ１０２に係員メニュー画面が表示される。その係員メニュー画面において所定の設定メニューボタンが操作されることにより、タッチパネルＬＣＤ１０２に各種設定画面が表示される。この各種設定画面において、
通帳管理ユニット２３の物品収納部Ｂ１０，Ｂ１１のいずれかに対応するアイコンが選択操作されると、タッチパネルＬＣＤ１０２に図２５に示す扉設定画面が表示される。
【０１６２】
扉設定画面には、「扉設定」というタイトル３００と、メッセージ３０１と、通帳管理ユニット２３の物品収納部Ｂ１０，Ｂ１１を模した画像３０２と、物品収納部Ｂ１０の通帳個別収納領域に収納すべき通帳に関する所定の情報を入力するための通帳情報入力部３０３と、扉設定操作をキャンセルするために操作されるキャンセルボタン３０４と、扉設定操作を完了させるために操作される完了ボタン３０５とが表示されている。図２５ならびに後述する図２８および図３０において、「通帳０１」は物品収納部Ｂ１０の左手前の通帳個別収納領域を指し、「通帳０２」は物品収納部Ｂ１０の右手前の通帳個別収納領域を指す。また、「通帳０３」は物品収納部Ｂ１０の左奥の通帳個別収納領域を指し、「通帳０４」は物品収納部Ｂ１０の右奥の通帳個別収納領域を指す。
【０１６３】
メッセージ３０１は、「通帳を選択してください」など、利用者に対し、設定の対象になる物品収納部Ｂ１０，Ｂ１１の選択を促す旨のメッセージである。
通帳情報入力部３０３は、通帳個別収納領域毎に設けられている。各通帳情報入力部３０３は、対応する通帳個別収納領域に収納される通帳の種類（通帳（大）や通帳（小）などの種類）を入力するための通帳種類入力部３０６と、対応する通帳個別収納領域に収納される通帳の基準となる厚みを表示するための基準厚み表示部３０７と、対応する通帳個別収納領域に収納される通帳の厚みを自動的に設定するために操作される通帳厚み自動設定ボタン３０８とを備えている。
【０１６４】
通帳精査部２３３の記憶部２３３ｂには、通帳の種別に応じて基準厚みが予め設定されている。そして、利用者によって通帳種類入力部３０６に通帳の種類が入力されると、通帳精査部２３３はその入力された通帳に対応する通帳厚みを操作制御ユニット１０に送信する。操作制御ユニット１０の表示制御部１０５ｃは、その通帳厚みを基準厚み表示部３０７に表示させる。
【０１６５】
ところで、通帳の種類が共通していても、通帳の厚みは必ずしも一致しているわけではない。そのため、通帳管理ユニット２３の物品収納部Ｂ１０，Ｂ１１に実際に収納される通帳の実際の厚みを計測し、その計測値を通帳厚みとして設定することが望まれている。
この通帳管理ユニット２３は、通帳厚みを計測する通帳厚み計測機能を備えている。すなわち、各通帳個別収納領域に含まれる通帳計数部２３２および通帳精査部２３３は、当該通帳個別収納領域に収納されている通帳の厚みを計測する通帳厚み計測処理を実行可能である。そして、その通帳厚み計測処理の計測結果を、通帳厚みとして自動設定することが可能である。以下、「通帳０１」に相当する通帳個別収納領域で通帳厚み計測処理を実行し、その計測結果を通帳厚みとして自動設定する場合を例に挙げて説明する。
【０１６６】
図２６〜図２８は、タッチパネルＬＣＤ１０２に表示される通帳厚み設定画面の一例を示す図である。図２５に示す扉設定画面で通帳厚み自動設定ボタン３０８が選択操作されると、タッチパネルＬＣＤ１０２に、図２６に示す画面が表示される。
図２６に示す画面では、通帳厚み設定というタイトル３１０と、「セットする冊数を選択し、実行してください。」とのメッセージ３１１と、「１０冊」を選択するために操作される１０冊ボタン３１２と、「２０冊」を選択するために操作される２０冊ボタン３１３と、キャンセルボタン３１４と、実行ボタン３１５とが表示されている。
【０１６７】
１０冊ボタン３１２または２０冊ボタン３１３が選択操作された後に実行ボタン３１５が選択操作されると、次いでタッチパネルＬＣＤ１０２に、図２７に示す画面が表示される。図２７に示す画面では、通帳厚み設定というタイトル３２０と、「○○通帳の設定を××冊で行います。よろしいですか？」とのメッセージ３２１と、いいえボタン３２２と、はいボタン３２３とが表示されている。
【０１６８】
はいボタン３２２が選択操作されると、次いでタッチパネルＬＣＤ１０２に、図２８に示す画面が表示される。図２８に示す画面では、通帳厚み設定というタイトル３３０と、通帳管理ユニット２３の物品収納部（この場合物品収納部Ｂ１０）の複数の通帳個別収納領域を模した画像３３１と、「△△扉のセット位置□□に、○○通帳を××冊セットして扉を閉めてください。」とのメッセージ３３２とが表示されている。
【０１６９】
選択された１０冊ボタン３１２（図２６参照）または２０冊ボタン３１３（図２６参照）に対応する冊数の通帳が、利用者によって、「通帳０１」に相当する通帳個別収納領域に投入される。具体的には、利用者は１０冊または２０冊の通帳を、「通帳０１」に相当する通帳個別収納領域内の通帳計数部２３２の収納部４２０（収納領域）に積層状態で投入する。通帳の投入後、物品収納部Ｂ１０の扉２３５（図１参照）が閉じられると、この通帳個別収納領域の通帳計数部２３２および通帳精査部２３３は、通帳厚み計測処理を実行する。通帳厚み計測処理では、通帳計数部２３２のセンサ機構が一方向のみ（たとえば図１７に示すＸ方向へのみ）走査する。図２９は、計数制御部２３３ａが実行する通帳厚み計測処理の流れを示すフローチャートである。
【０１７０】
通帳厚み計測処理では、図２９に示すように、計数制御部２３３ａはセンサ部４１１の出力値を波形データとして抽出する（ステップＳ５０１)。そして、計数制御部２３３ａはセンサ部４１１から得た波形データを平滑化した後（ステップＳ５０２)、収納部４２０の収納領域に収納されている１０冊または２０冊の通帳の全体幅を特定する（ステップＳ５０３)。そして、計数制御部２３３ａは通帳の平均幅を算出し（ステップＳ５０４）、情報通知部２３３ｃに通知する。情報通知部２３３ｃは、算出された平均幅を操作制御ユニット１０に送信する。
【０１７１】
図３０は、通帳厚み計測処理後にタッチパネルＬＣＤ１０２に表示される扉設定画面の一例を示す図である。図３０に示すように、操作制御ユニット１０の表示制御部１０５ｃは、計測後の通帳厚み（たとえば７（ｍｍ））を基準厚み表示部３０７に表示させる。
また、計数制御部２３３ａは、算出された通帳の平均幅を記憶部２３３ｂに閾値情報２３５ｂとして格納する（自動的に設定）。そして、その後に通帳計数部２３２および通帳精査部２３３で実行される通帳計数処理において、天地判定用閾値を用いて天地判定処理（図２４に示すステップＳ１０６）が実行され、凹部検証用閾値を用いて凹部検証処理（図２４に示すステップＳ１０９）が実行され、また、幅検証用範囲を用いて、幅検証処理（図２４に示すステップＳ１１１）が実行される。
【０１７２】
以上、物品収納部Ｂ１０に対して扉設定を行う場合を例に挙げて説明したが、物品収納部Ｂ１１に対して扉設定を行う場合にも、同様の処理が実行される。
自動精査機能として通帳管理ユニット２３の自動精査機能を例に挙げて説明したが、一般管理ユニット２４，２５においても、収納されている物品の内容（たとえば、物品の種類および／または数量）を自動的に精査する自動精査機能を備えていてもよい。この場合、一般管理ユニット２４，２５で管理される物品として、貨幣、証書、小切手等を例示することができる。
【０１７３】
これらの自動精査機能により精査した結果は、たとえば物品保管装置１内で管理する。具体的には、記憶部１０４に記憶可能である。しかしながら、この精査結果を、ホストコンピュータ２６（図１参照）や、オフィス内に設置され、物品保管装置１と通信可能な他のサーバ（図示しない）で管理しておくこともできる。
また、複数の収容庫（物品収納部Ｂ１〜Ｂ１２）の配置レイアウトが、１パターン（たとえば図１に示すもの）に限られず、複数パターン（多様なパターン）に変更可能であってもよい。この場合、各収納庫（物品収納部Ｂ１〜Ｂ１２）の構成として、各パターンで配置（載置）可能な構成が採用される。たとえば上段ユニットの各収容庫（物品収納部Ｂ１〜Ｂ６）を下段に、下段ユニットの各収容庫（物品収納部Ｂ７〜Ｂ１２）を上段に配置する場合には、収容庫（物品収納部Ｂ１〜Ｂ６）の構成を下段ユニットとしても適用可能な構成とし、収容庫（物品収納部Ｂ７〜Ｂ１２）の構成を上段ユニットとしても適用可能な構成とすることができる。これにより、顧客の用途やニーズに合った収容庫レイアウトを実現することができる。
【０１７４】
図３１は、本発明の第２実施形態に係る物品保管装置の電気的構成を示すブロック図である。図３１に示す物品保管装置は、鍵管理ユニット２１や一般ユニット２４等の上段ユニットのみが操作制御ユニット１０に接続される第１実施形態のような構成ではなく、カード管理ユニット２２や通帳管理ユニット２３、一般管理ユニット２５を含む全ての被制御ユニット２０（ユニット２１〜２５）が、操作制御ユニット１０に直接接続されている。
【０１７５】
図３２は、本発明の第３実施形態に係る物品保管装置の構成を示す図である。図３２に示す物品保管装置は、当該物品保管装置に含まれる複数個のユニット１０，２１〜２５が集約して配置される第１実施形態のような構成ではなく、複数個のユニット１０，２１〜２５がオフィス内に分散して配置されている。この場合、被制御ユニット２０（ユニット２１〜２５）が操作制御ユニット１０から離間した状態で配置されている。
【０１７６】
このとき、各被制御ユニット２０（ユニット２１〜２５）は、装置カードＡＣから装置用ＩＤを読み取る機能および／または装置パスワードを入力する機能と、入力等された装置用ＩＤおよび／または装置パスワードを用いて認証を行う認証機能とを有している。具体的には、各被制御ユニット２０（ユニット２１〜２５）は、装置カードＡＣから装置用ＩＤを読み取るためのリーダおよび／または装置パスワードを入力するためのタッチＬＣＤと、入力等された装置用ＩＤおよび／または装置パスワードを用いて認証を行うための制御部とを備えている。
【０１７７】
この場合、利用者はまず操作制御ユニット１０で本人認証を行い、本人認証が成功することにより物品保管装置１にログインすることができる。次いで、物品の出し入れ対象のユニット２１〜２５まで移動し、当該被制御ユニット２１〜２５で本人認証を行い、本人認証が成功することにより所望の扉を施解錠することができる。
以上、この発明の３つの実施形態について説明したが、本発明は他の形態でも実施することができる。
【０１７８】
たとえば、前述の各実施形態では、利用者は自身に配布された装置カードＡＣの発行（持ち出し）しか許容されないとしたが、管理者（管理者の権限を有する利用者）は、他の利用者の装置カードＡＣを持ち出すことができるようになっていてもよい。たとえば、管理者は他の利用者の装置カードＡＣを選択的に取り出し可能であってもよいし、利用者全員の装置カードＡＣを一括して取り出し可能であってもよい。
【０１７９】
また、装置カードＡＣを収納すべきカード個別収納部４６の位置（カード収納位置）が予め設定されていなくてもよい。この場合、駆動制御部２２４ａ（図８参照）は装置カードＡＣからの装置ＩＤの読み出し時に、空き状態にあるカード個別収納部４６の中から、当該装置カードＡＣを収納すべきカード個別収納部４６（すなわち、カード収納位置）を決定するとともに、決定されたカード個別収納部４６に装置カードＡＣを搬送するように、カードデータ処理部３２、回転搬送部３６および移動搬送部５１を制御する。また、情報通知部２２４ｃ（図８参照）は、決定されたカード個別収納部４６の位置を操作制御ユニット１０に通知する。
【０１８０】
また、カード管理ユニット２２の構成として図３に示す構成を例に挙げたが、より簡略化された構成を採用することもできる。
図３３はカード管理ユニットの変形例（カード管理ユニット２２Ａ）を示す断面図である。たとえば、カード管理ユニット２２Ａは、前面に開口を有する筐体からなる収納部本体２２０Ａと、収納部本体２２０Ａの前面を開閉するための扉２２１Ａと、扉２２１Ａを施解錠するための扉施錠部（図示しない）とを備え、収納部本体２２０Ａ内の内部空間が、複数枚の装置カードＡＣを収納（収容）するための収納空間になっている。扉２２１Ａは収納部本体２２０Ａに片開き可能に取り付けられている。扉２２１Ａには、装置カードＡＣを収納部本体２２０Ａ内に投入するための装置カード投入口２２２Ａが形成されている。装置カード投入口２２２Ａは、扉２２１Ａの上下方向の中間部に形成されており、正面視で左右方向に長い矩形状をなしている。
【０１８１】
このカード管理ユニット２２Ａでは、扉２２１Ａを開いて収納部本体２２０Ａから装置カードＡＣを持ち出すことにより、カード管理ユニット２２Ａから装置カードＡＣを取り出す。実際の運用では、管理者（管理者の権限を有する利用者）がオフィスに所属する利用者全員の装置カードＡＣを一括して取り出す。
具体的には、管理者に対し、当該管理者の従業員カードＡＣを用いたＩＤ認証および当該管理者の従業員パスワードを用いたパスワード認証（２つの認証により本人認証が実現）が行われ、本人認証に成功したときは、扉施錠部（図示しない）は解錠され、扉２２１Ａは解錠状態になる。そして、収納部本体２２０Ａから全員の装置カードＡＣを一括して持ち出す。持ち出された装置カードＡＣは、各利用者に引き渡される。そして、各利用者は退勤時または外出時には、自身に配布された装置カードＡＣを装置カード投入口２２２Ａに投入することにより、装置カードＡＣをカード管理ユニット２２に収納する。
【０１８２】
また、金融機関が複数のオフィスを店舗として有しており、各オフィスに物品保管装置１が設置されている場合には、複数のオフィスに設置されている物品保管装置１が互いに通信可能に接続されていてもよい。このとき、金融機関の本店（本部）のオフィスに設置されている物品保管装置１が親装置として、他の店舗（すなわち支店）のオフィスに設置されている物品保管装置１が子装置として機能する。すなわち、本店の物品保管装置１が、他の物品保管装置１（すなわち支店に設置されている他の全ての物品保管装置１）の管理を行うようになっている。
【０１８３】
また、第１記憶媒体として、磁気カードやＩＣカードからなる装置カードを用いる場合を例に挙げたが、記憶媒体はカード状のものに限られず、コイン状またはスティック状のものであってもよい。さらに、第２記憶媒体として、磁気カードからなる装置カードを用いる場合を例に挙げたが、装置カードがＩＣカードによって構成されていてもよいのは言うまでもない。また、第１記憶媒体および／または第２記憶媒体はカード状のものに限られず、コイン状またはスティック状のものであってもよい。
【０１８４】
また、装置カード発行のための認証として、カード認証および／またはパスワード認証に代えて／に併せて、顔認証などの生体認証を採用することもできる。この生体認証として、指紋認証、虹彩認証、静脈認証等を採用することもできる。
その他、特許請求の範囲に記載された事項の範囲で種々の設計変更を施すことが可能である。
【符号の説明】
【０１８５】
１  物品保管装置
３２  カードデータ処理部（記憶媒体発行部）
３６  回転搬送部（記憶媒体発行部）
４６  個別収納部
５１  支持部（記憶媒体発行部）
１０１  カードリーダ
１０２  タッチパネルＬＣＤ（操作部）
１０４  記憶部（記憶媒体管理手段）
１５０  制御部（記憶媒体発行部）
ＡＣ  装置カード（第１記憶媒体）
Ｂ１，Ｂ３〜Ｂ１２  物品収納部
Ｂ２  カード収納部（記憶媒体収納部）
ＥＣ  従業員カード（第２記憶媒体）
【図１】
2012172309.tif 000003
【図２】
2012172309.tif 000004
【図３】
2012172309.tif 000005
【図４】
2012172309.tif 000006
【図５】
2012172309.tif 000007
【図６】
2012172309.tif 000008
【図７】
2012172309.tif 000009
【図８】
2012172309.tif 000010
【図９】
2012172309.tif 000011
【図１０】
2012172309.tif 000012
【図１１】
2012172309.tif 000013
【図１２】
2012172309.tif 000014
【図１３】
2012172309.tif 000015
【図１４】
2012172309.tif 000016
【図１５】
2012172309.tif 000017
【図１６】
2012172309.tif 000018
【図１７】
2012172309.tif 000019
【図１８】
2012172309.tif 000020
【図１９】
2012172309.tif 000021
【図２０】
2012172309.tif 000022
【図２１】
2012172309.tif 000023
【図２２】
2012172309.tif 000024
【図２３】
2012172309.tif 000025
【図２４】
2012172309.tif 000026
【図２５】
2012172309.tif 000027
【図２６】
2012172309.tif 000028
【図２７】
2012172309.tif 000029
【図２８】
2012172309.tif 000030
【図２９】
2012172309.tif 000031
【図３０】
2012172309.tif 000032
【図３１】
2012172309.tif 000033
【図３２】
2012172309.tif 000034
【図３３】
2012172309.tif 000035